(57)【要約】  小セルラー基地局アクセスシステム及びそのネットワークアクセスを実現する方法であって、それぞれコントロールプレーンリンクとユーザプレーンリンクを確立して、小セルラー基地局アクセスシステムは確立したコントロールプレーンリンクによって端末にアクセスしたコントロールプレーンデータを処理し、確立したユーザプレーンリンクによって端末にアクセスしたユーザプレーンデータを処理することを含む。本発明の実施例はコントロールプレーンとデータプレーンとの分離によって、端末と２つの異なる基地局、例えばマクロセルラー（基地局）と小セルラー（基地局）に同時にデータの送受信が存在し、ユーザースループットを増加して移動性能を強化し、且つユーザーがセルの間に切り替えることによりノードの間の情報を頻繁に交換させ、コアネットワークを衝撃する問題を解決し、更に、無線側における大量の小セルラー基地局の取り入れを実現する。【選択図】図４
2016522634.tif 000002
【特許請求の範囲】
【請求項１】
無線アクセスネットワーク及びコアネットワークを接続し、コアネットワークと無線アクセスネットワークの間のコントロールプレーンリンクを構築し、コントロールプレーンシグナリングのアグリゲーション配信ノードとして、異なる無線アクセスネットワークノードからのシグナリングをアグリゲーションしてコアネットワークに送信し、或いはコアネットワークからのシグナリングを異なる無線アクセスネットワークノードに配信し、１つ或いは複数の無線アクセスネットワークノードを管理協調するように設定されるコントロールプレーンゲートウェイ、
無線アクセスネットワーク及びコアネットワークを接続し、コアネットワークと無線アクセスネットワークの間のユーザプレーンリンクを構築し、ユーザプレーンデータのアグリゲーション配信ノードとして、異なる無線アクセスネットワークノードからのデータをアグリゲーションしてコアネットワークに送信し、或いはコアネットワークからのデータを異なる無線アクセスネットワークノードに配信するように設定されるユーザプレーンゲートウェイを含み、
前記コントロールプレーンゲートウェイとユーザプレーンゲートウェイとの間に接続リンクが確立される小セルラー基地局アクセスシステム。
【請求項２】
前記コントロールプレーンゲートウェイは更に、確立した接続リンクによって、ユーザプレーンゲートウェイに対する制御及び管理を実現するように設定される請求項１に記載の小セルラー基地局アクセスシステム。
【請求項３】
前記ユーザプレーンゲートウェイに対する制御及び管理は、前記ユーザプレーンゲートウェイとコアネットワークの間、及び前記ユーザプレーンゲートウェイと無線アクセスネットワークノードの間の接続の確立、削除及び修正を制御することを含む請求項２に記載の小セルラー基地局アクセスシステム。
【請求項４】
前記コントロールプレーンゲートウェイは１つ又は１つ以上であり、
前記ユーザプレーンゲートウェイは１つ又は１つ以上である請求項１又は２に記載の小セルラー基地局アクセスシステム。
【請求項５】
コントロールプレーンゲートウェイに接続される移動性管理エンティティＭＭＥ、ユーザプレーンゲートウェイ及びＭＭＥに接続されるサービスゲートウェイＳＧＷ、コントロールプレーンゲートウェイ及びユーザプレーンゲートウェイにそれぞれ接続されるマクロ基地局、コントロールプレーンゲートウェイ及びユーザプレーンゲートウェイにそれぞれ接続される小セルラー基地局を更に含む請求項４に記載の小セルラー基地局アクセスシステム。
【請求項６】
前記ユーザプレーンゲートウェイ及びコントロールプレーンゲートウェイはそれぞれ独立な物理ノードであり、
前記ＭＭＥは、前記コントロールプレーンゲートウェイとの間にＳ１-ＭＭＥ１インターフェイスによって接続され、前記ＳＧＷとの間にＳ１１インターフェイスによって接続されるように設定され、更に、前記コントロールプレーンゲートウェイとの間にコントロールプレーンリンクを管理することをサポートするように設定され、
前記ＳＧＷは、前記ユーザプレーンゲートウェイとの間にＳ１-Ｕ１インターフェイスによって接続されるように設定され、更に、前記ユーザプレーンゲートウェイとの間にＳ１-Ｕ１インターフェイス接続を管理することをサポートするように設定され、
前記コントロールプレーンゲートウェイは、前記ＭＭＥとの間にＳ１-ＭＭＥ１インターフェイスによって接続され、前記マクロ基地局又は/及び小セルラー基地局との間にＳ１-ＭＭ２インターフェイスによって接続され、前記ユーザプレーンゲートウェイとの間にＸ-１インターフェイスによって接続されるように設定され、更に、ＭＭＥとの間にコントロールプレーンリンクを管理し、及び基地局との間にコントロールプレーンリンクを管理する機能をサポートし、ユーザプレーンゲートウェイとＳＧＷの間に確立したＳ１-Ｕ１インターフェイス接続を管理し、及びユーザプレーンゲートウェイと基地局の間に確立したＳ１-Ｕ２インターフェイス接続を管理するように設定され、
前記ユーザプレーンゲートウェイは、前記ＳＧＷとの間にＳ１-Ｕ１インターフェイスによって接続され、マクロ基地局又は小セルラー基地局との間にＳ１-Ｕ２インターフェイスによって接続され、コントロールプレーンゲートウェイとの間にＸ-１インターフェイスによって接続されるように設定され、更に、前記コントロールプレーンゲートウェイの制御で、前記ＳＧＷとの間にＳ１-Ｕ１インターフェイス接続を管理し、及び基地局との間にＳ１-Ｕ２インターフェイス接続を管理することをサポートするように設定され、
前記マクロ基地局は、前記コントロールプレーンゲートウェイとの間にＳ１-ＭＭＥ２インターフェイスによって接続され、前記ユーザプレーンゲートウェイとの間にＳ１-Ｕ２インターフェイスによって接続されるように設定され、更に、前記コントロールプレーンゲートウェイとの間にコントロールプレーンリンクを管理し、前記ユーザプレーンゲートウェイとの間にＳ１-Ｕ２インターフェイス接続を管理することをサポートするように設定され、
前記小セルラー基地局は、前記ユーザプレーンゲートウェイとの間にＳ１-Ｕ２インターフェイスによって接続され、前記コントロールプレーンゲートウェイとの間にＳ１-ＭＭＥ２インターフェイスによって接続されるように設定され、更に、前記コントロールプレーンゲートウェイとの間にコントロールプレーンリンクを管理し、前記ユーザプレーンゲートウェイとの間にＳ１-Ｕ２インターフェイス接続を管理することをサポートするように設定される請求項５に記載の小セルラー基地局アクセスシステム。
【請求項７】
前記コントロールプレーンゲートウェイは更に、その他のコントロールプレーンゲートウェイとの間にＸ-Ｃインターフェイスによって接続され、コントロールプレーンゲートウェイをまたがって移動する時のノード間の協議に使用されるように設定される請求項６に記載の小セルラー基地局アクセスシステム。
【請求項８】
前記ユーザプレーンゲートウェイは更に、その他のユーザプレーン基地局との間にＸ-Ｕインターフェイスによって接続され、ユーザプレーンゲートウェイをまたがって移動する時にノード間のデータを伝送することに使用されるように設定される請求項６に記載の小セルラー基地局アクセスシステム。
【請求項９】
前記コントロールプレーンゲートウェイとユーザプレーンゲートウェイは同一の物理エンティティに共同設定され、この時、前記コントロールプレーンゲートウェイとユーザプレーンゲートウェイとの間のＸ-１インターフェイスは内部インターフェイスである請求項５に記載の小セルラー基地局アクセスシステム。
【請求項１０】
前記コントロールプレーンゲートウェイとユーザプレーンゲートウェイは共同設定されてマクロ基地局に設定され、
前記ＭＭＥは、前記マクロ基地局との間にＳ１-ＭＭＥ１インターフェイスによって接続され、前記ＳＧＷとの間にＳ１１インターフェイスによって接続されるように設定され、更に、前記マクロ基地局に設定されるコントロールプレーンゲートウェイとの間にコントロールプレーンリンクを管理することをサポートするように設定され、
前記ＳＧＷは、前記マクロ基地局との間にＳ１-Ｕ１インターフェイスによって接続されるように設定され、更に、前記マクロ基地局に設定されるユーザプレーンゲートウェイとの間にＳ１-Ｕ１接続を管理することをサポートするように設定され、
前記マクロ基地局は、前記ＭＭＥとの間にＳ１-ＭＭＥ１インターフェイスによって接続され、前記小セルラー基地局との間にＳ１-Ｕ２インターフェイス、Ｓ１-ＭＭＥ２インターフェイスがあるように設定され、更に、小セルラー基地局との間にコントロールプレーンリンクを管理することをサポートし、前記小セルラー基地局との間にＳ１-Ｕ２接続を管理することをサポートするように設定され、
前記小セルラー基地局は、前記マクロ基地局との間にＳ１-Ｕ２インターフェイス、Ｓ１-ＭＭＥ２インターフェイスがあるように設定され、更に、前記マクロ基地局との間にコントロールプレーンリンクとＳ１-Ｕ２接続を管理することをサポートするように設定される請求項５に記載の小セルラー基地局アクセスシステム。
【請求項１１】
前記コントロールプレーンゲートウェイとユーザプレーンゲートウェイは共同設定されてマクロ基地局に設定され、
前記マクロ基地局と小セルラー基地局との間に更に１つのゲートウェイが設定され、同時に小セルラー基地局のコントロールプレーンとユーザプレーンの管理を担当し、
前記ＭＭＥは、前記マクロ基地局との間にＳ１-ＭＭＥ１インターフェイスによって接続され、前記ＳＧＷとの間にＳ１１インターフェイスによって接続されるように設定され、更に、前記マクロ基地局に設定されるコントロールプレーンゲートウェイとの間にコントロールプレーンリンクを管理することをサポートするように設定され、
前記ＳＧＷは、前記マクロ基地局との間にＳ１-Ｕ１インターフェイスによって接続されるように設定され、更に、前記マクロ基地局に設定されるユーザプレーンゲートウェイとの間にＳ１-Ｕ１接続を管理することをサポートするように設定され、
前記マクロ基地局は、前記ＭＭＥとの間にＳ１-ＭＭＥ１インターフェイスによって接続され、前記小セルラー基地局との間にゲートウェイを介してＳ１-Ｕ２インターフェイス、Ｓ１-ＭＭＥ２インターフェイス接続を確立するように設定され、更に、前記ゲートウェイとの間にコントロールプレーンリンクを管理することをサポートするように設定され、
前記ゲートウェイは、基地局との間にコントロールプレーンリンクとユーザプレーンリンクを管理することをサポートするように設定され、
前記小セルラー基地局は、前記マクロ基地局との間に前記ゲートウェイを介してＳ１-Ｕ２インターフェイス、Ｓ１-ＭＭＥ２インターフェイス接続を確立するように設定され、更に、端末との間にＬＴＥシステムのデータ無線ベアラを確立してＤＲＢに通信できることをサポートし、及びゲートウェイとの間にコントロールプレーンリンクとＳ１-Ｕ２インターフェイス接続を管理することをサポートするように設定される請求項５に記載の小セルラー基地局アクセスシステム。
【請求項１２】
前記マクロ基地局と小セルラー基地局の間に、前記ゲートウェイを介してＸ-３インターフェイス接続を確立することを更に含む請求項１１に記載の小セルラー基地局アクセスシステム。
【請求項１３】
前記コントロールプレーンゲートウェイはマクロ基地局に設定され、前記ユーザプレーンゲートウェイは独立な実体であり、
前記ＭＭＥは、前記マクロ基地局との間にＳ１-ＭＭＥ１インターフェイスによって接続され、ＳＧＷとの間にＳ１１インターフェイスによって接続されるように設定され、
前記ＳＧＷは、前記ユーザプレーンゲートウェイとの間にＳ１-Ｕ１インターフェイスによって接続されるように設定され、更に、前記ユーザプレーンゲートウェイとの間にＳ１-Ｕ１インターフェイス接続を管理することをサポートするように設定され、
前記マクロ基地局は、コントロールプレーンゲートウェイが設定され、前記ＭＭＥとの間にＳ１-ＭＭＥ１インターフェイスによって接続され、小セルラー基地局との間にＳ１-ＭＭ２インターフェイスによって接続され、前記ユーザプレーンゲートウェイとの間のインターフェイスがＸ-１インターフェイス、Ｓ１-Ｕ２インターフェイスを含むように設定され、更に、ユーザプレーンゲートウェイとの間にＳ１-Ｕ２インターフェイス接続を管理することをサポートし、小セルラー基地局との間にコントロールプレーンリンクを管理することをサポートし、ユーザプレーンゲートウェイとＳＧＷの間のＳ１-Ｕ１インターフェイス接続、及びユーザプレーンゲートウェイと基地局の間のＳ１-Ｕ２インターフェイス接続を管理するように前記ユーザプレーンゲートウェイを制御するように設定され、
前記ユーザプレーンゲートウェイは、前記ＳＧＷとの間にＳ１-Ｕ１インターフェイスによって接続され、前記マクロ基地局との間にＳ１-Ｕ２インターフェイス、Ｘ-１インターフェイスによって接続され、小セルラー基地局との間にＳ１-Ｕ２インターフェイスによって接続されるように設定され、更に、ＳＧＷとの間にＳ１-Ｕ１インターフェイス接続を管理し、及び基地局との間にＳ１-Ｕ２インターフェイス接続を管理することをサポートするように設定され、
前記小セルラー基地局は、前記ユーザプレーンゲートウェイとの間にＳ１-Ｕ２インターフェイスによって接続され、前記マクロ基地局との間にＳ１-ＭＭＥ２インターフェイスによって接続され、端末との間にＬＴＥシステムのデータ無線ベアラを確立してＤＲＢに通信することをサポートし、及びコントロールプレーンゲートウェイとの間にコントロールプレーンリンクを管理し、ユーザプレーンゲートウェイとの間にＳ１-Ｕ２インターフェイス接続を管理することをサポートするように設定される請求項６に記載の小セルラー基地局アクセスシステム。
【請求項１４】
前記マクロ基地局と小セルラー基地局との間にＸ-３インターフェイスによって接続されることを更に含む請求項６、１０又は１３に記載の小セルラー基地局アクセスシステム。
【請求項１５】
前記ユーザプレーンゲートウェイはＳＧＷに設定され、前記コントロールプレーンゲートウェイはＭＭＥに設定され、
前記ＭＭＥは、コントロールプレーンゲートウェイが設定され、前記ＳＧＷとの間にＳ１１インターフェイス、Ｘ-１インターフェイスによって接続され、Ｓ１-ＭＭＥ２インターフェイスによってそれぞれマクロ基地局と小セルラー基地局に接続されるように設定され、更に、同一のユーザーに対して２つのＳ１-ＭＭＥ２インターフェイスを管理してそれぞれ異なる基地局に接続されることをサポートするように設定され、
前記ＳＧＷは、ユーザプレーンゲートウェイが設定され、前記ＭＭＥとの間にＳ１１インターフェイス、Ｘ-１インターフェイスによって接続され、Ｓ１-Ｕ２インターフェイスによってそれぞれマクロ基地局と小セルラー基地局に接続されるように設定され、更に、同一のユーザーに対して２つのＳ１-Ｕ２インターフェイスを管理してそれぞれ異なる基地局に接続されることをサポートするように設定される請求項６に記載の小セルラー基地局アクセスシステム。
【請求項１６】
小セルラー基地局アクセスシステムに、
無線アクセスネットワークとコアネットワークを接続し、コアネットワークと無線アクセスネットワークとの間のコントロールプレーンリンクを構築するように設定されるコントロールプレーンゲートウェイ、
無線アクセスネットワークとコアネットワークを接続し、コアネットワークと無線アクセスネットワークとの間のユーザプレーンリンクを構築するように設定されるユーザプレーンゲートウェイが設定され、 
前記コントロールプレーンゲートウェイとユーザプレーンゲートウェイの間に接続リンクが確立され、
それぞれコントロールプレーンリンクとユーザプレーンリンクを確立することと、
確立したコントロールプレーンリンクによって端末にアクセスしたコントロールプレーンデータを処理し、確立したユーザプレーンリンクによって端末にアクセスしたユーザプレーンデータを処理することと、を含むことを特徴とする小セルラー基地局アクセスシステムがネットワークアクセスを実現する方法。
【請求項１７】
確立した接続リンクによって、前記コントロールプレーンゲートウェイがユーザプレーンゲートウェイを制御及び管理することを更に含む請求項１６に記載の方法。
【請求項１８】
前記コントロールプレーンゲートウェイがユーザプレーンゲートウェイに対する制御及び管理は、
前記コントロールプレーンゲートウェイとコアネットワークとの間の接続を確立、削除及び修正することと、
前記ユーザプレーンゲートウェイと無線アクセスネットワークノードとの間の接続を確立、削除及び修正することと、を含む請求項１７に記載の方法。
【請求項１９】
前記ユーザプレーンゲートウェイは２つ又は２つ以上であり、
前記ユーザプレーンゲートウェイの間の接続リンクを確立し、確立した接続リンクによって、端末がユーザプレーンゲートウェイをまたがって移動する時にノード間のデータを伝送することを実現することを含む請求項１６又は１７に記載の方法。
【請求項２０】
前記コントロールプレーンゲートウェイは前記接続リンクによって、端末がコントロールプレーンゲートウェイをまたがって移動する時のノード間の協議を完成することを更に含む請求項１６又は１７に記載の方法。
【請求項２１】
前記確立したコントロールプレーンリンクによって端末にアクセスしたコントロールプレーンデータを処理するのは、
前記確立したコントロールプレーンリンクによって、前記コントロールプレーンゲートウェイがコントロールプレーンデータを処理して、異なる無線アクセスネットワークノードからのシグナリングをアグリゲーションしてコアネットワークに送信し、或いはコアネットワークからのシグナリングを異なる無線アクセスネットワークノードに配信することを含む請求項１６に記載の方法。
【請求項２２】
前記アグリゲーション又は配信は、
コアネットワークと前記コントロールプレーンゲートウェイの間、及び前記コントロールプレーンゲートウェイと無線アクセスネットワークノードの間のシグナリング接続を管理することと、
端末に関連するコンテキスト情報を維持し、コアネットワークとコントロールプレーンゲートウェイの間、及びコントロールプレーンゲートウェイと無線アクセスネットワークノードの間のシグナリング接続のマッピング関係を含むことと、
コアネットワーク或いは無線アクセスネットワークノードのシグナリングに基づき、シグナリング接続を管理することと、を含む請求項２１に記載の方法。
【請求項２３】
端末がマルチストリームをサポートする際に、前記端末が前記コントロールプレーンゲートウェイと複数の無線アクセスネットワークノードとの間のシグナリング接続を保存することを更に含む請求項２２に記載の方法。
【請求項２４】
対応なデータ接続を管理するようにユーザプレーンゲートウェイに指示することを更に含む請求項２２又は２３に記載の方法。
【請求項２５】
前記マッピング関係は一対一のマッピング関係であり、マッピング関係に基づき前記シグナリングを転送し、或いは、
前記マッピング関係は一対複数のマッピング関係であり、指定ルールに基づき前記シグナリングの転送を代理する請求項２２に記載の方法。
【請求項２６】
コントロールプレーンをまたがるゲートウェイが存在する際に、前記コントロールプレーンゲートウェイの間に、
対応な端末に関連する或いはエアインターフェイス接続に関連するコンテキスト設定情報をマイグレイトすることを更に含む請求項２２に記載の方法。
【請求項２７】
前記確立したユーザプレーンリンクによって端末にアクセスしたユーザプレーンデータを処理するのは、
確立したユーザプレーンリンクによって、ユーザプレーンゲートウェイがユーザプレーンデータを処理して、異なる無線アクセスネットワークノードからのデータをアグリゲーションしてコアネットワークに送信し、或いはコアネットワークからのデータを異なる無線アクセスネットワークノードに配信することを含む請求項１６に記載の方法。
【請求項２８】
前記アグリゲーション又は配信は、
コアネットワークと前記ユーザプレーンゲートウェイの間、及びユーザプレーンゲートウェイと無線アクセスネットワークの間のデータチャンネルを管理することと、
コアネットワークとユーザプレーンゲートウェイの間、及びユーザプレーンゲートウェイと無線アクセスネットワークノードの間のデータチャンネルを含むマッピング関係を維持し、マッピング関係にしたがってデータの転送を行い、且つ該マッピング関係を管理することと、を含む請求項２７に記載の方法。
【請求項２９】
前記マッピング関係は一対一のマッピング関係であり、或いは、
前記マッピング関係は一対複数のマッピング関係であり、この時、
前記ユーザプレーンゲートウェイは１つの端末のコンテキスト情報のうちの一対複数の関係を維持し、アップリンク方向において、前記ユーザプレーンゲートウェイは複数のデータチャンネルを１つのデータチャンネルにアグリゲーションして送信し、ダウンリンク方向において、前記ユーザプレーンゲートウェイは予め設定されたルールに基づきデータ配信を行う請求項２８に記載の方法。
【請求項３０】
ユーザプレーンをまたがるゲートウェイが存在する際に、ユーザプレーンゲートウェイの間のデータチャンネルの管理が確立、削除及び修正を含むことと、
アクセスネットワークノード又はコアネットワークと、前記ユーザプレーンゲートウェイとの間のデータチャンネルマッピング関係を維持し、マッピング関係に応じてデータの転送を行い、且つ該マッピング関係の管理をサポートすることと、を含む請求項２９に記載の方法。
【発明の詳細な説明】
【技術分野】
【０００１】
本発明は移動通信技術に関し、特に小セルラー基地局アクセスシステム及びそのネットワークアクセスを実現する方法に関する。
【背景技術】
【０００２】
図１は関連技術におけるロングタームエボリューションシステム（ＬＴＥ、Long Term Evolution）の全体アーキテクチャ模式図であり、図１に示すように、ＬＴＥアーキテクチャは、移動性管理エンティティ（ＭＭＥ、Mobility Management Entity）、サービスゲートウェイ（ＳＧＷ、Serving GetWay）、端末とも呼ばれるユーザー装置（ＵＥ、User Equipment）及び基地局（eNodeB、ｅＮＢと略称する）を含み、ＵＥとｅＮＢの間にはＵＵインターフェイスであり、ｅＮＢとＭＭＥの間にはＳ１-ＭＭＥ（S1 for the control plane）インターフェイスであり、ｅＮＢとＳＧＷの間にはＳ１-Ｕインターフェイスであり、ｅＮＢの間にはＸ２-Ｕ（X2-User plane）及びＸ２-Ｃ（X2-Control plane）インターフェイスである。
【０００３】
図２(ａ)〜図２(ｄ)は関連技術におけるＬＴＥのＵＥ、ｅＮＢ及びコアネットワーク（ＭＭＥ又はＳＧＷ）の間のコントロールプレーン及びユーザプレーンのプロトコルアーキテクチャ、及びｅＮＢとｅＮＢの間のコントロールプレーン及びユーザプレーンのプロトコルアーキテクチャ模式図であり、図２(ａ)〜図２(ｄ)に示すように、
ＬＴＥにおいて、ＵＥとｅＮＢの間のインターフェイスは下から上まで、物理層（ＰＨＹ、Physical layer）、メディアアクセス制御層（ＭＡＣ、Media Access Control）、無線リンク制御層（ＲＬＣ、Radio Link Control）、パケットデータコンバージェンス層（ＰＤＣＰ、Packet Data Convergence Protocol）、無線リソース制御層（ＲＲＣ、Radio Resource Control）というプロトコル層に分けられる。ＬＴＥにおいて、ＵＥとｅＮＢの間のインターフェイスのユーザプレーンプロトコルスタックは下から上まで、ＰＨＹ、ＭＡＣ、ＲＬＣ、ＰＤＣＰというプロトコル層に分けられる。ＰＨＹ層は主に、伝送チャネルによってＭＡＣ又はより高い層に情報を伝送するように設定され、ＭＡＣ層は主に、論理チャネルによってデータ伝送を提供して無線リソースの分配を担当し、ハイブリッド自動再送要求（ＨＡＲＱ、Hybrid ARQ）、スケジューリング（ＳＣＨ、Scheduling）、優先順位処理及び多重化および逆多重化（ＭＵＸ、Multiplexing）等の機能を完成するように設定され、ＲＬＣ層は主に、ユーザーと制御データのセグメント及び再送サービスを提供するように設定され、ＰＤＣＰ層は主にＲＲＣ又はユーザプレーンの上層のためにユーザーデータの伝達を完成するように設定され、ＲＲＣ層は主にブロードキャスト（Broadcast）、ページング（Paging）、無線リソース制御接続管理、無線ベアラ制御、移動性機能、端末測定レポート及び制御等を完成するように設定される。ＬＴＥシステムにおいて、端末は１つの基地局だけとの間にデータ送受信が存在し、ユーザースループットと端末の移動性能を制限することが言うまでもない。
【０００４】
ＬＴＥにおいて、Ｓ１-ＭＭＥインターフェイスのプロトコルスタックは下から上まで、Ｌ１プロトコル、Ｌ２プロトコル、インターネットプロトコル（ＩＰ、Internet Protocol）、ストリーム制御伝送プロトコル（ＳＣＴＰ、Stream Control Transmission Protocol）、Ｓ１アプリケーションプロトコル（Ｓ１-ＡＰ、S1-Application Protocol）というプロトコル層に分けられる。
【０００５】
ＬＴＥにおいて、Ｓ１-Ｕインターフェイスのプロトコルスタックは下から上まで、Ｌ１プロトコル、Ｌ２プロトコル、ユーザーデータプロトコル/インターネットプロトコル（ＵＤＰ/ＩＰ）、ＧＰＲＳトンネリングプロトコル-ユーザプレーン（ＧＴＰ-Ｕ、GPRS Tunneling Protocol-User plane）というプロトコル層に分けられる。
【０００６】
ＬＴＥにおいて、Ｘ２-Ｃインターフェイスのプロトコルスタックは下から上まで、Ｌ１プロトコル、Ｌ２プロトコル、ＩＰ、ＳＣＴＰ、Ｘ２アプリケーションプロトコル（Ｘ２-ＡＰ、X2-Application Protocol）というプロトコル層に分けられる。
【０００７】
ＬＴＥにおいて、Ｘ２-Ｕインターフェイスのプロトコルスタックは下から上まで、Ｌ１プロトコル、Ｌ２プロトコル、ＵＤＰ/ＩＰ、ＧＴＰ-Ｕというプロトコル層に分けられる。
【０００８】
図３(ａ)〜図３(ｃ)はそれぞれ従来のＳ１インターフェイス、Ｘ２インターフェイス及び強化型無線アクセスベアラ（Ｅ-ＲＡＢ）の確立フローチャートであり、Ｓ１インターフェイス確立過程は大体に、ｅＮＢがＭＭＥにＳ１確立要求（S1 SETUP REQUEST）メッセージを送信し、ＭＭＥがｅＮＢにＳ１確立応答（S1 SETUP RESPONSE）メッセージを返信することを含む。Ｘ２インターフェイスの確立過程は大体に、ｅＮＢ１がｅＮＢ２にＸ２確立要求（X2 SETUP REQUEST）メッセージを送信し、ｅＮＢ２がｅＮＢ１にＸ２確立応答（X2 SETUP RESPONSE）メッセージを返信することを含む。無線アクセスベアラの確立過程は大体に、ＭＭＥがｅＮＢに無線ベアラ確立要求（E-RAB SETUP REQUEST）メッセージを送信し、ｅＮＢがＭＭＥに無線ベアラ確立応答（E-RAB SETUP REQUEST）メッセージを返信することを含む。
【０００９】
従来、スペクトルリソースが乏しく、及び移動ユーザーの大流量ビジネスが急激に増加するため、ユーザースループットを増加して移動性能を強化するために、高周波ポイント、例えば３.５GHzを用いてホットスポットカバレッジを行う需要が日々に顕著になり、低消費電力のノードを用いるのは新しいアプリケーションシーンとなる。しかしながら、高周波ポイントの信号減衰が深刻であり、新しいセルのカバレッジ範囲が小さく、且つ従来のセルと異なるサイトにあるため、ユーザーがこれらの新しいセルの間に移動し、或いは新しいセルと従来のセルの間に移動すると、きっと頻繁的な切り替え過程を引き起こし、基地局の間に頻繁的にユーザー情報を伝達することにより、コアネットワークに大きなシグナリング衝撃を発生し、更に無線側における大量の小セルラー基地局の取り入れを封じ込める。
【発明の概要】
【発明が解決しようとする課題】
【００１０】
本発明の実施例は、ユーザースループットを増加して、端末移動性能を強化し、同時に、端末が移動する際に、コアネットワークへのシグナリング衝撃を回避することができ、無線側における大量の小セルラー基地局の取り入れを実現する小セルラー基地局アクセスシステム及びそのネットワークアクセスを実現する方法を提供する。
【課題を解決するための手段】
【００１１】
上記の技術問題を解決するために、本発明の実施例は小セルラー基地局アクセスシステムを開示し、小セルラー基地局アクセスシステムには、
無線アクセスネットワーク及びコアネットワークを接続し、コアネットワークと無線アクセスネットワークの間のコントロールプレーンリンクを構築し、コントロールプレーンシグナリングのアグリゲーション配信ノードとして、異なる無線アクセスネットワークノードからのシグナリングをアグリゲーションしてコアネットワークに送信し、或いはコアネットワークからのシグナリングを異なる無線アクセスネットワークノードに配信し、１つ或いは複数の無線アクセスネットワークノードを管理協調するように設定されるコントロールプレーンゲートウェイ、
無線アクセスネットワーク及びコアネットワークを接続し、コアネットワークと無線アクセスネットワークの間のユーザプレーンリンクを構築し、ユーザプレーンデータのアグリゲーション配信ノードとして、異なる無線アクセスネットワークノードからのデータをアグリゲーションしてコアネットワークに送信し、或いはコアネットワークからのデータを異なる無線アクセスネットワークノードに配信するように設定されるユーザプレーンゲートウェイが設定される。
【００１２】
前記コントロールプレーンゲートウェイとユーザプレーンゲートウェイの間に接続リンクが確立され、
前記コントロールプレーンゲートウェイは更に、確立した接続リンクによって、ユーザプレーンゲートウェイに対する制御及び管理を実現するように設定される。
【００１３】
前記ユーザプレーンゲートウェイに対する制御及び管理は、前記ユーザプレーンゲートウェイとコアネットワークの間、及び前記ユーザプレーンゲートウェイと無線アクセスネットワークノードの間の接続の確立、削除及び修正を制御することを含む。
【００１４】
前記コントロールプレーンゲートウェイは１つ又は１つ以上であり、
前記ユーザプレーンゲートウェイは１つ又は１つ以上である。
【００１５】
該システムは更に、コントロールプレーンゲートウェイに接続される移動性管理エンティティＭＭＥ、ユーザプレーンゲートウェイ及びＭＭＥに接続されるサービスゲートウェイＳＧＷ、コントロールプレーンゲートウェイ及びユーザプレーンゲートウェイにそれぞれ接続されるマクロ基地局、コントロールプレーンゲートウェイ及びユーザプレーンゲートウェイにそれぞれ接続される小セルラー基地局を含む。
【００１６】
前記ユーザプレーンゲートウェイ及びコントロールプレーンゲートウェイはそれぞれ独立な物理ノードであり、
前記ＭＭＥは、前記コントロールプレーンゲートウェイとの間にＳ１-ＭＭＥ１インターフェイスによって接続され、前記ＳＧＷとの間にＳ１１インターフェイスによって接続されるように設定され、更に、前記コントロールプレーンゲートウェイとの間にコントロールプレーンリンクを管理することをサポートするように設定され、
前記ＳＧＷは、前記ユーザプレーンゲートウェイとの間にＳ１-Ｕ１インターフェイスによって接続されるように設定され、更に、前記ユーザプレーンゲートウェイとの間にＳ１-Ｕ１インターフェイス接続を管理することをサポートするように設定され、
前記コントロールプレーンゲートウェイは、前記ＭＭＥとの間にＳ１-ＭＭＥ１インターフェイスによって接続され、前記マクロ基地局又は/及び小セルラー基地局との間にＳ１-ＭＭ２インターフェイスによって接続され、前記ユーザプレーンゲートウェイとの間にＸ-１インターフェイスによって接続されるように設定され、更に、ＭＭＥとの間にコントロールプレーンリンクを管理し、及び基地局との間にコントロールプレーンリンクを管理する機能をサポートし、ユーザプレーンゲートウェイとＳＧＷの間に確立したＳ１-Ｕ１インターフェイス接続を管理し、及びユーザプレーンゲートウェイと基地局の間に確立したＳ１-Ｕ２インターフェイス接続を管理するように設定され、
前記ユーザプレーンゲートウェイは、前記ＳＧＷとの間にＳ１-Ｕ１インターフェイスによって接続され、マクロ基地局又は小セルラー基地局との間にＳ１-Ｕ２インターフェイスによって接続され、コントロールプレーンゲートウェイとの間にＸ-１インターフェイスによって接続されるように設定され、前記コントロールプレーンゲートウェイの制御で、前記ＳＧＷとの間にＳ１-Ｕ１インターフェイスの接続を管理し、及び基地局との間にＳ１-Ｕ２インターフェイスの接続を管理することをサポートするように設定され、
前記マクロ基地局は、前記コントロールプレーンゲートウェイとの間にＳ１-ＭＭＥ２インターフェイスによって接続され、前記ユーザプレーンゲートウェイとの間にＳ１-Ｕ２インターフェイスによって接続されるように設定され、更に、前記コントロールプレーンゲートウェイとの間にコントロールプレーンリンクを管理し、前記ユーザプレーンゲートウェイとの間にＳ１-Ｕ２インターフェイスの接続を管理することをサポートするように設定され、
前記小セルラー基地局は、前記ユーザプレーンゲートウェイとの間にＳ１-Ｕ２インターフェイスによって接続され、前記コントロールプレーンゲートウェイとの間にＳ１-ＭＭＥ２インターフェイスによって接続されるように設定され、更に、前記コントロールプレーンゲートウェイとの間にコントロールプレーンリンクを管理し、前記ユーザプレーンゲートウェイとの間にＳ１-Ｕ２インターフェイスの接続を管理することをサポートするように設定される。
【００１７】
前記コントロールプレーンゲートウェイは更に、その他のコントロールプレーンゲートウェイとの間にＸ-Ｃインターフェイスによって接続され、コントロールプレーンゲートウェイをまたがって移動する時のノード間の協議に使用されるように設定される。
【００１８】
前記ユーザプレーンゲートウェイは更に、その他のユーザプレーン基地局との間にＸ-Ｕインターフェイスによって接続され、ユーザプレーンゲートウェイをまたがって移動する時にノード間のデータを伝送するように設定される。
【００１９】
前記コントロールプレーンゲートウェイとユーザプレーンゲートウェイは同一の物理エンティティに共同設定され、この時、前記コントロールプレーンゲートウェイとユーザプレーンゲートウェイとの間のＸ-１インターフェイスは内部インターフェイスである。
【００２０】
前記コントロールプレーンゲートウェイとユーザプレーンゲートウェイは共同設定され且つマクロ基地局に設定され、
前記ＭＭＥは、前記マクロ基地局との間にＳ１-ＭＭＥ１インターフェイスによって接続され、前記ＳＧＷとの間にＳ１１インターフェイスによって接続されるように設定され、更に、前記マクロ基地局に設定されるコントロールプレーンゲートウェイとの間にコントロールプレーンリンクを管理することをサポートするように設定され、
前記ＳＧＷは、前記マクロ基地局との間にＳ１-Ｕ１インターフェイスによって接続されるように設定され、更に、前記マクロ基地局に設定されるユーザプレーンゲートウェイとの間にＳ１-Ｕ１接続を管理することをサポートするように設定され、
前記マクロ基地局は、前記ＭＭＥとの間にＳ１-ＭＭＥ１インターフェイスによって接続され、前記小セルラー基地局との間にＳ１-Ｕ２インターフェイス、Ｓ１-ＭＭＥ２インターフェイスがあるように設定され、更に、小セルラー基地局との間にコントロールプレーンリンクを管理することをサポートし、前記小セルラー基地局との間にＳ１-Ｕ２接続を管理することをサポートするように設定され、
前記小セルラー基地局は、前記マクロ基地局との間にＳ１-Ｕ２インターフェイス、Ｓ１-ＭＭＥ２インターフェイスがあり、ＵＥとの間にＵｕインターフェイスによって接続されるように設定され、更に、前記マクロ基地局との間にコントロールプレーンリンクとＳ１-Ｕ２接続を管理することをサポートするように設定される。
【００２１】
前記コントロールプレーンゲートウェイとユーザプレーンゲートウェイは共同設定され且つマクロ基地局に設定され、前記マクロ基地局と小セルラー基地局との間に更に１つのゲートウェイが設定され、同時に小セルラー基地局のコントロールプレーンとユーザプレーンの管理を担当し、
前記ＭＭＥは、前記マクロ基地局との間にＳ１-ＭＭＥ１インターフェイスによって接続され、前記ＳＧＷとの間にＳ１１インターフェイスによって接続されるように設定され、更に、前記マクロ基地局に設定されるコントロールプレーンゲートウェイとの間にコントロールプレーンリンクを管理することをサポートするように設定され、
前記ＳＧＷは、前記マクロ基地局との間にＳ１-Ｕ１インターフェイスによって接続されるように設定され、更に、前記マクロ基地局に設定されるユーザプレーンゲートウェイとの間にＳ１-Ｕ１接続を管理することをサポートするように設定され、
前記マクロ基地局は、前記ＭＭＥとの間にＳ１-ＭＭＥ１インターフェイスによって接続され、前記小セルラー基地局との間にゲートウェイを介してＳ１-Ｕ２インターフェイス、Ｓ１-ＭＭＥ２インターフェイス接続を確立するように設定され、更に、前記ゲートウェイとの間にコントロールプレーンリンクを管理することをサポートするように設定され、
前記ゲートウェイは、基地局との間にコントロールプレーンリンクとユーザプレーンリンクを管理することをサポートするように設定され、
前記小セルラー基地局は、前記マクロ基地局との間に前記ゲートウェイを介してＳ１-Ｕ２インターフェイス、Ｓ１-ＭＭＥ２インターフェイス接続を確立するように設定され、更に、端末との間にＬＴＥシステムのデータ無線ベアラを確立してＤＲＢに通信できることをサポートし、及びゲートウェイとの間にコントロールプレーンリンクとＳ１-Ｕ２インターフェイスの接続を管理することをサポートするように設定される。
【００２２】
前記マクロ基地局と小セルラー基地局の間に、更に前記ゲートウェイを介してＸ-３インターフェイスの接続を確立する。
【００２３】
前記コントロールプレーンゲートウェイはマクロ基地局に設定され、前記ユーザプレーンゲートウェイは独立な実体であり、
前記ＭＭＥは、前記マクロ基地局との間にＳ１-ＭＭＥ１インターフェイスによって接続され、ＳＧＷとの間にＳ１１インターフェイスによって接続されるように設定され、
前記ＳＧＷは、前記ユーザプレーンゲートウェイとの間にＳ１-Ｕ１インターフェイスによって接続されるように設定され、更に、前記ユーザプレーンゲートウェイとの間にＳ１-Ｕ１インターフェイスの接続を管理することをサポートするように設定され、
前記マクロ基地局は、コントロールプレーンゲートウェイが設定され、前記ＭＭＥとの間にＳ１-ＭＭＥ１インターフェイスによって接続され、小セルラー基地局との間にＳ１-ＭＭ２インターフェイスによって接続され、前記ユーザプレーンゲートウェイとの間のインターフェイスがＸ-１インターフェイス、Ｓ１-Ｕ２インターフェイスを含むように設定され、更に、ユーザプレーンゲートウェイとの間にＳ１-Ｕ２インターフェイスの接続を管理することをサポートし、小セルラー基地局との間にコントロールプレーンリンクを管理することをサポートし、ユーザプレーンゲートウェイとＳＧＷの間のＳ１-Ｕ１インターフェイスの接続、及びユーザプレーンゲートウェイと基地局の間のＳ１-Ｕ２インターフェイスの接続を管理するように前記ユーザプレーンゲートウェイを制御するように設定され、
前記ユーザプレーンゲートウェイは、前記ＳＧＷとの間にＳ１-Ｕ１インターフェイスによって接続され、前記マクロ基地局との間にＳ１-Ｕ２インターフェイス、Ｘ-１インターフェイスによって接続され、小セルラー基地局との間にＳ１-Ｕ２インターフェイスによって接続されるように設定され、更に、ＳＧＷとの間にＳ１-Ｕ１インターフェイスの接続を管理し、及び基地局との間にＳ１-Ｕ２インターフェイスの接続を管理することをサポートするように設定され、
前記小セルラー基地局は、前記ユーザプレーンゲートウェイとの間にＳ１-Ｕ２インターフェイスによって接続され、前記マクロ基地局との間にＳ１-ＭＭＥ２インターフェイスによって接続され、端末との間にＬＴＥシステムのデータ無線ベアラを確立してＤＲＢに通信することをサポートし、及びコントロールプレーンゲートウェイとの間にコントロールプレーンリンクを管理し、ユーザプレーンゲートウェイとの間にＳ１-Ｕ２インターフェイスの接続を管理することをサポートするように設定される。
【００２４】
前記マクロ基地局と小セルラー基地局との間に更にＸ-３インターフェイスによって接続される。
【００２５】
前記ユーザプレーンゲートウェイはＳＧＷに設定され、前記コントロールプレーンゲートウェイはＭＭＥに設定され、
前記ＭＭＥは、コントロールプレーンゲートウェイが設定され、前記ＳＧＷとの間にＳ１１インターフェイス、Ｘ-１インターフェイスによって接続され、Ｓ１-ＭＭＥ２インターフェイスによってそれぞれマクロ基地局と小セルラー基地局に接続されるように設定され、更に、同一のユーザーに対して２つのＳ１-ＭＭＥ２インターフェイスを管理してそれぞれ異なる基地局に接続されることをサポートするように設定され、
前記ＳＧＷは、ユーザプレーンゲートウェイが設定され、前記ＭＭＥとの間にＳ１１インターフェイス、Ｘ-１インターフェイスによって接続され、Ｓ１-Ｕ２インターフェイスによってそれぞれマクロ基地局と小セルラー基地局に接続されるように設定され、更に、同一のユーザーに対して２つのＳ１-Ｕ２インターフェイスを管理してそれぞれ異なる基地局に接続されることをサポートするように設定される。
【００２６】
本発明の実施例は、小セルラー基地局アクセスシステムがネットワークアクセスを実現する方法を更に提供し、小セルラー基地局アクセスシステムには、
無線アクセスネットワークとコアネットワークを接続し、コアネットワークと無線アクセスネットワークとの間のコントロールプレーンリンクを構築するように設定されるコントロールプレーンゲートウェイ、
無線アクセスネットワークとコアネットワークを接続し、コアネットワークと無線アクセスネットワークとの間のユーザプレーンリンクを構築するように設定されるユーザプレーンゲートウェイが設定され、 
該方法は、
それぞれコントロールプレーンリンクとユーザプレーンリンクを確立することと、
確立したコントロールプレーンリンクによって端末にアクセスしたコントロールプレーンデータを処理し、確立したユーザプレーンリンクによって端末にアクセスしたユーザプレーンデータを処理することと、を含む。
【００２７】
該方法は、前記コントロールプレーンゲートウェイとユーザプレーンゲートウェイとの間の接続リンクを確立することと、
確立した接続リンクによって、前記コントロールプレーンゲートウェイがユーザプレーンゲートウェイに対する制御及び管理と、を更に含む。
【００２８】
前記コントロールプレーンゲートウェイがユーザプレーンゲートウェイに対する制御及び管理は、
前記コントロールユーザプレーンゲートウェイとコアネットワークとの間の接続を確立、削除及び修正することと、
前記ユーザプレーンゲートウェイと無線アクセスネットワークノードとの間の接続を確立、削除及び修正することと、を含む。
【００２９】
前記ユーザプレーンゲートウェイは２つ又は２つ以上であり、該方法は更に、
前記ユーザプレーンゲートウェイの間の接続リンクを確立することと、確立した接続リンクによって、端末がユーザプレーンゲートウェイをまたがって移動する時のノード間のデータの伝送を実現することと、を含む。
【００３０】
該方法は、
前記コントロールプレーンゲートウェイが前記接続リンクによって、端末がコントロールプレーンゲートウェイをまたがって移動する時のノード間の協議を完成することを更に含む。
【００３１】
前記確立したコントロールプレーンリンクによって端末にアクセスしたコントロールプレーンデータを処理するのは、
前記確立したコントロールプレーンリンクによって、前記コントロールプレーンゲートウェイがコントロールプレーンデータを処理して、異なる無線アクセスネットワークノードからのシグナリングをアグリゲーションしてコアネットワークに送信し、或いはコアネットワークからのシグナリングを異なる無線アクセスネットワークノードに配信することを含む。
【００３２】
前記アグリゲーション又は配信は、
コアネットワークと前記コントロールプレーンゲートウェイとの間、及び前記コントロールプレーンゲートウェイと無線アクセスネットワークノードの間のシグナリング接続を管理することと、
端末に関連するコンテキスト情報を維持し、コアネットワークとコントロールプレーンゲートウェイの間、及びコントロールプレーンゲートウェイと無線アクセスネットワークノードの間のシグナリング接続のマッピング関係を含むことと、
コアネットワーク或いは無線アクセスネットワークノードのシグナリングに基づき、シグナリング接続を管理することと、を含む。
【００３３】
端末がマルチストリームをサポートする際に、前記端末は前記コントロールプレーンゲートウェイと複数の無線アクセスネットワークノードとの間のシグナリング接続を保存する。
【００３４】
前記コントロールプレーンゲートウェイとユーザプレーンゲートウェイの間に接続リンクを確立し、
該方法は、対応するデータ接続を管理するようにユーザプレーンゲートウェイに指示することを更に含む。
【００３５】
前記マッピング関係は一対一のマッピング関係であり、マッピング関係に基づき前記シグナリングを転送し、或いは、
前記マッピング関係は一対複数のマッピング関係であり、指定ルールに基づき前記シグナリングの転送を代理する。
【００３６】
コントロールプレーンをまたがるゲートウェイが存在する際に、前記コントロールプレーンゲートウェイの間に、該方法は、対応する端末に関連する或いはエアインターフェイス接続に関連するコンテキスト設定情報をマイグレイトすることを更に含む。
【００３７】
前記確立したユーザプレーンリンクによって端末にアクセスしたユーザプレーンデータを処理するのは、
確立したユーザプレーンリンクによって、ユーザプレーンゲートウェイがユーザプレーンデータを処理して、異なる無線アクセスネットワークノードからのデータをアグリゲーションしてコアネットワークに送信し、或いはコアネットワークからのデータを異なる無線アクセスネットワークノードに配信することを含む。
【００３８】
前記アグリゲーション又は配信は、
コアネットワークと前記ユーザプレーンゲートウェイとの間、及びユーザプレーンゲートウェイと無線アクセスネットワークの間のデータチャンネルを管理することと、
コアネットワークとユーザプレーンゲートウェイの間、及びユーザプレーンゲートウェイと無線アクセスネットワークノードの間のデータチャンネルを含むマッピング関係を維持し、マッピング関係にしたがってデータの転送を行い、且つ該マッピング関係を管理することと、を含む。
【００３９】
前記マッピング関係は一対一のマッピング関係であり、或いは、
前記マッピング関係は一対複数のマッピング関係であり、この時、
前記ユーザプレーンゲートウェイは１つの端末のコンテキスト情報のうちの一対複数の関係を維持し、アップリンク方向において、前記ユーザプレーンゲートウェイは複数のデータチャンネルを１つのデータチャンネルにアグリゲーションして送信し、ダウンリンク方向において、前記ユーザプレーンゲートウェイは予め設定されたルールに基づきデータ配信を行う。
【００４０】
ユーザプレーンをまたがるゲートウェイが存在する際に、ユーザプレーンゲートウェイの間のデータチャンネルの管理は確立、削除及び修正を含み、及び、
アクセスネットワークノード又はコアネットワークと、前記ユーザプレーンゲートウェイとの間のデータチャンネルマッピング関係を維持し、マッピング関係に応じてデータの転送を行い、且つ該マッピング関係の管理をサポートする。
【発明の効果】
【００４１】
本発明の実施例により、それぞれコントロールプレーンリンクとユーザプレーンリンクを確立し、小セルラー基地局アクセスシステムは確立したコントロールプレーンリンクによって端末にアクセスしたコントロールプレーンデータを処理し、確立したユーザプレーンリンクによって端末にアクセスしたユーザプレーンデータを処理することを含む。本発明の実施例はコントロールプレーンとデータプレーンとの分離によって、端末と２つの異なる基地局、例えばマクロセルラー（基地局）と小セルラー（基地局）に同時にデータの送受信が存在し、ユーザースループットを増加して移動性能を強化し、且つユーザーがセルの間に切り替えることによりノードの間の情報を頻繁に交換させ、コアネットワークを衝撃する問題を解決し、更に、無線側における大量の小セルラー基地局の取り入れを実現する。
【図面の簡単な説明】
【００４２】
【図１】図１は関連技術におけるＬＴＥの全体アーキテクチャ模式図である。
【図２ａ】関連技術のＬＴＥアーキテクチャにおけるコントロールプレーン及びユーザプレーンのプロトコルアーキテクチャ模式図である。
【図２ｂ】関連技術のＬＴＥアーキテクチャにおけるコントロールプレーン及びユーザプレーンのプロトコルアーキテクチャ模式図である。
【図２ｃ】関連技術のＬＴＥアーキテクチャにおけるコントロールプレーン及びユーザプレーンのプロトコルアーキテクチャ模式図である。
【図２ｄ】関連技術のＬＴＥアーキテクチャにおけるコントロールプレーン及びユーザプレーンのプロトコルアーキテクチャ模式図である。
【図３ａ】従来のＳ１インターフェイス、Ｘ２インターフェイス及びＥ-ＲＡＢの確立フローチャートである。
【図３ｂ】従来のＳ１インターフェイス、Ｘ２インターフェイス及びＥ-ＲＡＢの確立フローチャートである。
【図３ｃ】従来のＳ１インターフェイス、Ｘ２インターフェイス及びＥ-ＲＡＢの確立フローチャートである。
【図４】図４は本発明の実施例における小セルラー基地局アクセスシステムがネットワークアクセスを実現する方法のフローチャートである。
【図５】図５は本発明の実施例における小セルラー基地局アクセスシステムの第１実施例の論理機能構造模式図である。
【図６】図６は本発明の実施例における小セルラー基地局アクセスシステムの第１実施例のＧＴＰ-Ｕチャンネル確立のフローチャートである。
【図７】図７は本発明の実施例における小セルラー基地局アクセスシステムの第１実施例のＧＴＰ-Ｕチャンネル削除のフローチャートである。
【図８】図８は本発明の実施例における小セルラー基地局アクセスシステムの第１実施例のＧＴＰ-Ｕチャンネル切り替えのフローチャートである。
【図９】図９は本発明の実施例における小セルラー基地局アクセスシステムの第２実施例の論理機能構造模式図である。
【図１０】図１０は本発明の実施例における小セルラー基地局アクセスシステムの第３実施例の論理機能構造模式図である。
【図１１】図１１は本発明の実施例における小セルラー基地局アクセスシステムの第３実施例のＧＴＰ-Ｕチャンネル確立のフローチャートである。
【図１２】図１２は本発明の実施例における小セルラー基地局アクセスシステムの第３実施例のＧＴＰ-Ｕチャンネル削除のフローチャートである。
【図１３】図１３は本発明の実施例における小セルラー基地局アクセスシステムの第３実施例のＧＴＰ-Ｕチャンネル切り替えのフローチャートである。
【図１４】図１４は本発明の実施例における小セルラー基地局アクセスシステムの第４実施例の論理機能構造模式図である。
【図１５】図１５は本発明の実施例における小セルラー基地局アクセスシステムの第４実施例のＧＴＰ-Ｕチャンネル確立のフローチャートである。
【図１６】図１６は本発明の実施例における小セルラー基地局アクセスシステムの第４実施例のＧＴＰ-Ｕチャンネル削除のフローチャートである。
【図１７】図１７は本発明の実施例における小セルラー基地局アクセスシステムの第４実施例のＧＴＰ-Ｕチャンネル切り替えのフローチャートである。
【図１８】図１８は本発明の実施例における小セルラー基地局アクセスシステムの第５実施例の論理機能構造模式図である。
【図１９】図１９は本発明の実施例における小セルラー基地局アクセスシステムの第５実施例のＧＴＰ-Ｕチャンネル確立のフローチャートである。
【図２０】図２０は本発明の実施例における小セルラー基地局アクセスシステムの第５実施例のＧＴＰ-Ｕチャンネル削除のフローチャートである。
【図２１】図２１は本発明の実施例における小セルラー基地局アクセスシステムの第５実施例のＧＴＰ-Ｕチャンネル切り替えのフローチャートである。
【図２２】図２２は本発明の実施例における小セルラー基地局アクセスシステムの第６実施例の論理機能構造模式図である。
【発明を実施するための形態】
【００４３】
図４は本発明の実施例における小セルラー基地局アクセスシステムがネットワークアクセスを実現する方法のフローチャート、図４に示すように、以下のステップ400〜ステップ401を含む。
【００４４】
ステップ400、小セルラー基地局アクセスシステムはそれぞれコントロールプレーンリンク及びユーザプレーンリンクを確立する。
【００４５】
本発明の実施例の小セルラー基地局アクセスシステムにおいて、無線アクセスネットワークとコアネットワークを接続するためのコントロールプレーンゲートウェイを新しく増設し、コントロールプレーンゲートウェイによって構築したコアネットワークと無線アクセスネットワークの間のリンクはコントロールプレーンリンクである。コントロールプレーンゲートウェイによって、大量の無線アクセスネットワークノードをコアネットワークに接続することを実現し、同時に、コントロールプレーンゲートウェイはコントロールプレーンシグナリングのアグリゲーション配信ノードとして、異なる無線アクセスネットワークノードからのシグナリングをアグリゲーションしてコアネットワークに送信し、或いはコアネットワークからのシグナリングを異なる無線アクセスネットワークノードに配信する。同時に、コントロールプレーンゲートウェイは無線アクセスネットワークノードの管理ネット要素として、１つ或いは複数の無線アクセスネットワークノードを協調管理することを更に含む。ＬＴＥネットワークアーキテクチャを例とし、コントロールプレーンゲートウェイはインターフェイスＳ１-ＭＭＥ１によって１つ又は複数のＭＭＥを接続し、Ｓ１-ＭＭＥ２インターフェイスによって１つ又は複数のｅＮＢを接続する。
【００４６】
本発明の実施例の小セルラー基地局アクセスシステムにおいて、無線アクセスネットワークとコアネットワークを接続するためのユーザプレーンゲートウェイを新しく増設し、ユーザプレーンゲートウェイによって構築したコアネットワークと無線アクセスネットワークとの間のリンクはユーザプレーンリンクである。ユーザプレーンゲートウェイによって、大量の無線アクセスネットワークノードをコアネットワークに接続することを実現し、同時に、ユーザプレーンゲートウェイはユーザプレーンデータのアグリゲーション配信ノードとして、異なる無線アクセスネットワークノードからのデータをアグリゲーションしてコアネットワークに送信し、或いはコアネットワークからのデータを異なる無線アクセスネットワークノードに配信する。ＬＴＥネットワークアーキテクチャを例として（その他のシステム、例えば３Ｇ、ＬＴＥ＋、ＷＩＦＩ等も本発明の実施例の構造に適用できる）、ユーザプレーンゲートウェイはインターフェイスＳ１-Ｕ１によって１つ又は複数のＳＧＷを接続し、Ｓ１-Ｕ２インターフェイスによって１つ又は複数のｅＮＢを接続する。
【００４７】
本発明の実施例の方法は、Ｓ１１インターフェイスを確立して、ＭＭＥとＳＧＷの間に接続され、ＭＭＥがＳＧＷを制御及び管理するように設定され、関連技術のインターフェイスであることを更に含み、
Ｓ１-ＭＭＥ１インターフェイスは、コントロールプレーンゲートウェイとＭＭＥの間に接続され、従来のＳ１-ＭＭＥインターフェイスであってよい。
【００４８】
Ｓ１-ＭＭＥ２インターフェイスは、コントロールプレーンゲートウェイと基地局の間に接続され、従来のＳ１-ＭＭＥインターフェイスであってよく、或いはその上でアクセスネットワークを新しく増設して情報をフィードバックし、よりよい配信決断に用いられる。
【００４９】
Ｓ１-Ｕ１インターフェイスは、ユーザプレーンゲートウェイとＳＧＷの間に接続され、データを伝送するように設定される。例えば従来のＳ１-Ｕインターフェイスであってよく、プロトコルスタックＩＰ/ＵＤＰ/ＧＴＰ-Ｕを使用する。
【００５０】
Ｓ１-Ｕ２インターフェイスは、ユーザプレーンゲートウェイと基地局の間に接続され、データを伝送するように設定される。例えば従来のＳ１-Ｕインターフェイスと類似するものであってよく、プロトコルスタックＩＰ/ＵＤＰ/ＧＴＰ-Ｕを使用する。
【００５１】
更に、本発明の実施例の方法は、小セルラー基地局アクセスシステムがコントロールプレーンゲートウェイとユーザプレーンゲートウェイの間の接続リンクを確立することを更に含む。該接続リンクによって、コントロールプレーンゲートウェイはユーザプレーンゲートウェイへの制御と管理を実現し、具体的に、ユーザプレーンゲートウェイとコアネットワークの間のチャンネル、及びユーザプレーンゲートウェイと無線アクセスネットワークノードの間の接続の確立、削除及び修正を制御することを含む。そのうちの修正は属性の修正と転送関係の修正を含む。
【００５２】
コントロールプレーンゲートウェイは１つ又は１つ以上のユーザプレーンゲートウェイを制御でき、ユーザプレーンゲートウェイは１つ又は１つ以上のコントロールプレーンゲートウェイに接続でき、システムの拡張と負荷分散に有利である。
【００５３】
更に、本発明の実施例の方法は、小セルラー基地局アクセスシステムがユーザプレーンゲートウェイの間の接続リンクを確立することを含み、該接続リンクによって、端末がユーザプレーンゲートウェイをまたがって移動する時にノード間のデータを伝送することを実現し、同時に、コントロールプレーンゲートウェイも該接続リンクによって、端末がコントロールプレーンゲートウェイをまたがって移動する時のノード間の協議を実現できる。
【００５４】
ステップ401、小セルラー基地局アクセスシステムは確立したコントロールプレーンリンクによって端末にアクセスしたコントロールプレーンデータを処理し、確立したユーザプレーンリンクによって端末にアクセスしたユーザプレーンデータを処理する。
【００５５】
一方、該ステップは確立したコントロールプレーンリンク、コントロールプレーンゲートウェイによってコントロールプレーンデータを処理して、異なる無線アクセスネットワークノードからのシグナリングをアグリゲーションしてコアネットワークに送信し、或いはコアネットワークからのシグナリングを異なる無線アクセスネットワークノードに配信する。具体的に、コアネットワークとコントロールプレーンゲートウェイの間、及びコントロールプレーンゲートウェイと無線アクセスネットワークノードの間のシグナリング接続を管理し、確立、削除及び修正を含むことと、
端末に関連するコンテキスト情報を維持し、コアネットワークとコントロールプレーンゲートウェイの間、及びコントロールプレーンゲートウェイと無線アクセスネットワークノードの間のシグナリング接続のマッピング関係を含み、端末がマルチストリーム即ち端末と２つ異なる基地局、例えばマクロセルラー（基地局）と小セルラー（基地局）に同時にデータの送受信が存在することをサポートする際に、以下、マクロセルラーと小セルラー又はｅＮＢを代表として異なる基地局を説明し、１つの端末がコントロールプレーンゲートウェイと複数の無線アクセスネットワークノードの間のシグナリング接続を保存できることと、
コアネットワーク或いは無線アクセスネットワークノードのシグナリングに基づき、シグナリング接続を管理することと、を含む。更に、コントロールプレーンゲートウェイとユーザプレーンゲートウェイの間の接続リンクを確立した際に、Ｘ-１インターフェイスによってユーザプレーンゲートウェイに対応するデータ接続を指示し、即ち該ユーザプレーンゲートウェイのユーザプレーンリンクによって管理することを更に含む。
【００５６】
更に、受信したコアネットワーク或いは無線アクセスネットワークノードからのシグナリングは、コントロールプレーンゲートウェイ又はユーザプレーンゲートウェイとコアネットワークの間の接続を修正する必要がないと表示すると、シグナリングはコントロールプレーンゲートウェイに終わる。
【００５７】
前記マッピング関係は一対一のマッピング関係である際に、マッピング関係に基づきシグナリングを転送し、前記マッピング関係は一対複数のマッピング関係である際に、指定ルールに基づきシグナリングの転送を代理する。指定ルールは予め設定されたものであってよく、設定されたものであってもよい。指定ルールはコアネットワークがコントロールプレーンゲートウェイによって複数の無線アクセスネットワークノードとの一対複数のマッピング関係等であってよい。
【００５８】
コントロールプレーンをまたがるゲートウェイが存在する際に、コントロールプレーンゲートウェイの間に、対応する端末に関連する或いはエアインターフェイス接続に関連するコンテキスト設定情報をマイグレイトすることを更に含む。特に、Ｓ１-ＭＭＥ１インターフェイスとＳ１-ＭＭＥ２インターフェイスは同じプロトコルスタックを使用する際に、コントロールプレーンゲートウェイはコアネットワークにとって、無線アクセスネットワークノードであり、無線アクセスネットワークノードにとってコアネットワークである。
【００５９】
一方で、該ステップは確立したユーザプレーンリンク、ユーザプレーンゲートウェイによってユーザプレーンデータを処理し、異なる無線アクセスネットワークノードからのデータをアグリゲーションしてコアネットワークに送信し、或いはコアネットワークからのデータを異なる無線アクセスネットワークノードに配信する。具体的に、コアネットワークとユーザプレーンゲートウェイの間、及びユーザプレーンゲートウェイと無線アクセスネットワークの間のデータチャンネルを管理し、確立、削除、修正を含むことと、コアネットワークとユーザプレーンゲートウェイの間、及びユーザプレーンゲートウェイと無線アクセスネットワークノード間のデータチャンネルを含むマッピング関係を維持することと、マッピング関係にしたがってデータの転送を行い、且つ該マッピング関係を管理し、新規作成、削除及び修正を含むことと、を含む。
【００６０】
前記マッピング関係は一対一のマッピング関係であってよく、一対複数のマッピング関係であってもよい。一対複数のマッピング関係である際に、複数のデータチャンネルは同一の端末に属し、例えば端末が異なる基地局に接続され、この時、ユーザプレーンゲートウェイは１つの端末のコンテキスト情報のうちの一対複数の関係を維持し、アップリンク方向において、ユーザプレーンゲートウェイは複数のデータチャンネルを１つのデータチャンネルにアグリゲーションして送信し、ダウンリンク方向において、ユーザプレーンゲートウェイは予め設定されたルール、例えば配信アルゴリズム、例えば負荷による配信等に基づき、データ配信を行う。
【００６１】
ユーザプレーンをまたがるゲートウェイが存在する際に、ユーザプレーンゲートウェイの間のデータチャンネルを管理し、確立、削除及び修正を含み、且つアクセスネットワークノードとユーザプレーンゲートウェイの間のデータチャンネルマッピング関係、及びコアネットワークユーザプレーンゲートウェイの間のデータチャンネルマッピング関係を維持し、マッピング関係にしたがってデータの転送を行い、該マッピング関係の管理をサポートし、新規作成、削除及び修正を含む。特に、Ｓ１-Ｕ１インターフェイスとＳ１-Ｕ２インターフェイスは同じプロトコルスタックを使用する際に、ユーザプレーンゲートウェイはコアネットワークにとって、無線アクセスネットワークノードであり、無線アクセスネットワークノードにとってコアネットワークである。
【００６２】
本発明の実施例におけるユーザプレーンゲートウェイとコントロールプレーンゲートウェイはいずれも論理機能ノードであり、実際の状況に応じて、それぞれ独立な物理ノードとして部署し、或いは既存の物理ノードに設定されることができる。以下、本発明の実施例における小セルラー基地局アクセスシステムの具体的な構成方式を参照して、そのネットワークアクセスを実現する方法を詳細的に説明する。
【００６３】
図５は本発明の実施例における小セルラー基地局アクセスシステムの第１実施例の論理機能構造模式図であり、図５に示すように、ＵＰ-ＧＷとＣＰ-ＧＷはそれぞれ独立な物理ノードであり、この時、各ネットワークノードの機能は、それぞれ以下のとおりである。
【００６４】
ＭＭＥは、コントロールプレーンゲートウェイとの間にＳ１-ＭＭＥ１インターフェイスによって接続され、ＳＧＷとの間にＳ１１インターフェイスによって接続される。ＬＴＥシステムRelease11のＭＭＥの従来の機能を有する以外、更に、コントロールプレーンゲートウェイとの間にコントロールプレーンリンクを管理（確立、削除及び修正を含む）することをサポートするように設定される。
【００６５】
ＳＧＷは、ユーザプレーンゲートウェイとの間にＳ１-Ｕ１インターフェイスによって接続される。ＬＴＥシステムRelease11のＳＧＷの従来の機能を有する以外、更に、ユーザプレーンゲートウェイとの間にＳ１-Ｕ１インターフェイス接続を管理することをサポートするように設定され、該機能はRelease11におけるＳＧＷと基地局の間のＧＴＰ-Ｕチャンネルの機能、即ちＳ１-Ｕインターフェイスの機能と類似する。
【００６６】
コントロールプレーンゲートウェイは、ＭＭＥとの間にＳ１-ＭＭＥ１インターフェイスによって接続され、マクロ基地局又は小セルラー基地局との間にＳ１-ＭＭ２インターフェイスによって接続され、ユーザプレーンゲートウェイとの間にＸ-１インターフェイスによって接続され、その他のコントロールプレーンゲートウェイとの間にＸ-Ｃインターフェイスによって接続され、コントロールプレーンゲートウェイをまたがって移動する時のノード間の協議に設定され、ＭＭＥとの間にコントロールプレーンリンクを管理（確立、削除及び修正を含む）し、及び基地局との間にコントロールプレーンリンクを管理する機能をサポートするように設定され、更に、ユーザプレーンゲートウェイとＳＧＷの間に確立したＳ１-Ｕ１インターフェイス接続、及びユーザプレーンゲートウェイと基地局の間に確立したＳ１-Ｕ２インターフェイス接続を含む関連ＧＴＰ-Ｕチャンネルを管理するように設定され、
ある端末のあるＥ-ＲＡＢは小セルラー基地局の間に転移する際に、コントロールプレーンゲートウェイはコントロールプレーンゲートウェイからＭＭＥまでのコントロールプレーンリンクを保持する方式、即ちコントロールプレーンゲートウェイとＭＭＥの間のコントロールプレーンリンクを変える必要がない方式によって、端末のＥ-ＲＡＢが小セルラーの間に移動することを完成できる。したがって、端末が小セルラー基地局の間に転移することによりＭＭＥに与える影響を回避する。
【００６７】
コントロールプレーンゲートウェイはマクロセルラーにとって無視されるものである。コントロールプレーンゲートウェイはアクセス制御の機能を備えることができる。
【００６８】
ユーザプレーンゲートウェイは、ＳＧＷとの間にＳ１-Ｕ１インターフェイスによって接続され、マクロ基地局又は小セルラー基地局との間にＳ１-Ｕ２インターフェイスによって接続され、コントロールプレーンゲートウェイとの間にX-1インターフェイスによって接続され、その他のユーザプレーン基地局との間にＸ-Ｕインターフェイスによって接続され、ユーザプレーンゲートウェイをまたがって移動する時にノード間のデータを伝送するように設定される。コントロールプレーンゲートウェイの制御で、ＳＧＷとの間にＳ１-Ｕ１インターフェイスの接続を管理し、及び基地局との間にＳ１-Ｕ２インターフェイスの接続を管理することをサポートするように設定され、
ある端末のあるＥ-ＲＡＢは小セルラー基地局の間に転移する際に、ユーザプレーンゲートウェイはユーザプレーンゲートウェイからＳＧＷまでのＧＴＰ-Ｕチャンネルを保持する方式によって、端末が小セルラー基地局の間に転移することによりＳＧＷに与える影響を回避し、
ユーザプレーンゲートウェイはマクロセルラーにとって無視されるものである。
【００６９】
マクロセルラーは、コントロールプレーンゲートウェイとの間にＳ１-ＭＭＥ２インターフェイスによって接続され、ユーザプレーンゲートウェイとの間にＳ１-Ｕ２インターフェイスによって接続され、ＵＥとの間にＵｕインターフェイスによって接続され、小セルラー基地局との間にＸ-３インターフェイスによって接続される。ＬＴＥシステムRelease11の基地局が備えた機能を有する以外、更に、コントロールプレーンゲートウェイとの間にコントロールプレーンリンクを管理し、ユーザプレーンゲートウェイとの間にＳ１-Ｕ１インターフェイスの接続を管理することをサポートするように設定される。マクロセルラーは移動性管理を行う。 
【００７０】
小セルラーは、ユーザプレーンゲートウェイとの間にＳ１-Ｕ２インターフェイスによって接続され、コントロールプレーンゲートウェイとの間にＳ１-ＭＭＥ２インターフェイスによって接続され、ＵＥとの間にＵｕインターフェイスによって接続され、マクロ基地局との間にＸ-３インターフェイスによって接続される。端末との間にＬＴＥシステムを確立することをサポートするデータ無線ベアラ（ＤＲＢ）を有し、ＤＲＢに通信するすべての機能を有する以外、更に、コントロールプレーンゲートウェイとの間にコントロールプレーンリンクを管理し、ユーザプレーンゲートウェイとの間にＳ１-Ｕ２インターフェイスの接続を管理することをサポートするように設定される。
【００７１】
図５に示すような第１実施例において、本発明の好ましい実施例のＵｕインターフェイスのプロトコルスタックは関連技術と同様で、本発明の好ましい実施例のＳ１-ＭＭＥ１インターフェイス、Ｓ１-ＭＭＥ２インターフェイスのプロトコルスタックは関連技術のＳ１-ＭＭＥインターフェイスと同様で、確立過程も同様であり、本発明の好ましい実施例のＳ１-Ｕ１インターフェイス、Ｓ１-Ｕ２インターフェイスのプロトコルスタックは関連技術のＳ１-Ｕインターフェイスと同様で、確立過程も同様であり、本発明の好ましい実施例のＸ-１インターフェイスのプロトコルスタックは関連技術のＳ１-Ｃインターフェイスと同様で、確立過程も同様である。
【００７２】
図５に示すような第１実施例において、コントロールプレーンリンクに基づきコントロールプレーンデータを処理するのは、アップリンク方向において、端末が１つ又は複数の無線インターフェイスによってデータを１つ又は複数の基地局に送信し、１つ又は複数の基地局がＳ１-ＭＭＥ２インターフェイスによってデータをコントロールプレーンゲートウェイに送信し、コントロールプレーンゲートウェイがＳ１-ＭＭＥ１インターフェイスによってデータをＭＭＥに送信し、この時、コントロールプレーンゲートウェイが、異なる無線アクセスネットワークノードからのシグナリングをアグリゲーションしてコアネットワークに送信することを完成することと、ダウンリンク方向において、ＭＭＥがＳ１-ＭＭＥ１インターフェイスによってデータをコントロールプレーンゲートウェイに送信し、コントロールプレーンゲートウェイがＳ１-ＭＭＥ２インターフェイスによってデータを１つ又は複数の基地局に送信し、基地局が無線インターフェイスによってデータを端末に送信し、この時、コントロールプレーンゲートウェイがコアネットワークからのシグナリングを異なる無線アクセスネットワークノードに配信することと、を含む。端末から小セルラー基地局までのコントロールプレーンリンクが存在してよく、存在しなくてもよく、存在しないと、端末と小セルラー基地局の間のコントロールプレーンデータはマクロ基地局（即ちＸ-３インターフェイス）によって転送される。
【００７３】
ユーザプレーンリンクに基づきユーザプレーンデータを処理するのは、アップリンク方向において、端末が１つ又は複数の無線インターフェイスによってデータを１つ又は複数の基地局に送信し、１つ又は複数の基地局がＳ１-Ｕ２インターフェイスによってデータをユーザプレーンゲートウェイに送信し、ユーザプレーンゲートウェイがＳ１-Ｕ１インターフェイスによってデータをＳＧＷに送信し、この時、ユーザプレーンゲートウェイがユーザプレーンデータのアグリゲーション配信ノードとして、異なる無線アクセスネットワークノードからのデータをアグリゲーションしてコアネットワークに送信することと、ダウンリンク方向において、ＳＧＷがＳ１-Ｕ１インターフェイスによってデータをユーザプレーンゲートウェイに送信し、ユーザプレーンゲートウェイがＳ１-Ｕ２インターフェイスによってデータを１つ又は複数の基地局に送信し、基地局が無線インターフェイスによってデータを端末に送信し、この時、ユーザプレーンゲートウェイがユーザプレーンデータのアグリゲーション配信ノードとして、コアネットワークからのデータを異なる無線アクセスネットワークノードに配信することと、を含む。
【００７４】
図６は本発明の実施例における小セルラー基地局アクセスシステムの第１実施例のＧＴＰ-Ｕチャンネル確立のフローチャートであり、この時、コントロールプレーンゲートウェイＣＰ-ＧＷはＧＴＰ-Ｕチャンネルの管理を担当し、図６に示すように、仮に端末とマクロ基地局は既にエアインターフェイスリンクを確立し、マクロ基地局は既に端末のために測定タスクを設定し、端末は既にマクロ基地局に測定結果を報告したと、以下のステップ600〜ステップ605を含む。
【００７５】
ステップ600〜ステップ601、マクロ基地局（マクロセルラー）は測定レポートを受信する。ＭＭＥはＳ１-ＭＭＥインターフェイスによってコントロールプレーンゲートウェイに無線アクセスベアラ管理メッセージを送信する。無線アクセスベアラ管理メッセージには、ある無線アクセスベアラ（Ｅ-ＲＡＢ）に対応するＧＴＰ-Ｕチャンネルのコアネットワークでのトランスポート層アドレス（ＴＮＬ address-ＣＮ）、ＧＴＰ-Ｕチャンネルの仮想接続識別子ＧＴＰ-ＴＥＩＤ-ＣＮ、及びＥ-ＲＡＢ関連の情報が少なくとも含まれる。
【００７６】
ステップ602、コントロールプレーンゲートウェイはマクロ基地局と協議し、マクロ基地局はコントロールプレーンゲートウェイに小セルラー基地局（小セルラー）の関連情報、例えば小セルラー基地局のセルアイデンティティ、測定結果等を返信する。
【００７７】
ステップ603、コントロールプレーンゲートウェイはセルラー基地局にＧＴＰ-Ｕチャンネルの確立を要求する無線ベアラ設定要求メッセージを送信する。無線ベアラ設定要求メッセージには、ＴＮＬ address-ＣＮ、ＧＴＰ-ＴＥＩＤ-ＣＮ、及びＥ-ＲＡＢ関連の情報が少なくとも含まれる。
【００７８】
ステップ604、小セルラー基地局とユーザプレーンゲートウェイの間、及びユーザプレーンゲートウェイとＳＧＷの間のＧＴＰ-Ｕチャンネルを確立する。
【００７９】
ステップ605、小セルラー基地局はコントロールプレーンゲートウェイへ無線ベアラ設定確認メッセージを送信し、コアネットワークまでのＧＴＰ-Ｕチャンネルの確立を確認するようにする。無線ベアラ設定確認メッセージには、現在のＥ-ＲＡＢに対応するＧＴＰ-Ｕチャンネルの小セルラーでのトランスポート層アドレス（ＴＮＬ address-ＳＧＷ-ＳＣ）、ＧＴＰ-Ｕチャンネルの仮想接続識別子ＧＴＰ-ＴＥＩＤ-ＳＧＷ-ＳＣ、及びＥ-ＲＡＢ関連の情報が少なくとも含まれる。
【００８０】
図７は本発明の実施例における小セルラー基地局アクセスシステムの第１実施例のＧＴＰ-Ｕチャンネル削除のフローチャートであり、図７に示すように、以下のステップ700〜ステップ702を含む。
【００８１】
ステップ700、コントロールプレーンゲートウェイは小セルラーにＧＴＰ-Ｕチャンネルの削除を要求する無線ベアラ設定要求を送信し、該メッセージには、削除する必要があるＧＴＰ-Ｕチャンネルに対応するＥ-ＲＡＢの情報が少なくとも含まれる。
【００８２】
ステップ701、小セルラーとユーザプレーンゲートウェイはそれぞれ小セルラーとユーザプレーンゲートウェイの間、及びユーザプレーンゲートウェイとＳＧＷはそれぞれユーザプレーンゲートウェイとＳＧＷの間のＧＴＰ-Ｕチャンネルを削除する。 
【００８３】
ステップ702、小セルラーはコントロールプレーンゲートウェイにＧＴＰ-Ｕチャンネルが削除されたと表示する無線ベアラ設定確認を送信する。
【００８４】
図８は本発明の実施例における小セルラー基地局アクセスシステムの第１実施例のＧＴＰ-Ｕチャンネル切り替えのフローチャートであり、仮に端末は小セルラー１から小セルラー２まで移動すると、図８に示すように、
コントロールプレーンゲートウェイが図６に示すような過程にしたがって、小セルラー２からＳＧＷまでのＧＴＰ-Ｕチャンネルを選択して確立し、該ＧＴＰ-ＵチャンネルがＳＧＷとユーザプレーンゲートウェイの間、及びユーザプレーンゲートウェイと小セルラー２の間の２つのＧＴＰ-Ｕチャンネルからなることと、
図７に示すような過程にしたがって、小セルラー１におけるＧＴＰ-Ｕチャンネルを削除することと、を含む。 
【００８５】
本発明の実施例における図８に示すような端末が小セルラーの間に移動する際に、ＧＴＰ-Ｕチャンネルの管理はコアネットワークに影響を及ばなく、無線側に大量の小セルラーを取り入れるのは可能となる。
【００８６】
図９は本発明の実施例における小セルラー基地局アクセスシステムの第２実施例の論理機能構造模式図であり、図９に示すように、第２実施例の小セルラー基地局の論理機能構造において、各ネットワークノードの実現は第１実施例と比べて、異なるのは、コントロールプレーンゲートウェイとユーザプレーンゲートウェイが同一の物理エンティティに共同設定され、両者の間のＸ-１インターフェイスがゲートウェイ内部インターフェイスであり、ＣＰ-ＧＷとＵＰ-ＧＷの間の通信がＧＷ内部の実現によって完成されることである。図９に示すような小セルラー基地局アクセスシステムの論理機能構造に対して、そのネットワークアクセス方法は実施例１と一致し、ここで説明しない。ＧＴＰ-Ｕチャンネルの確立、削除、切り替えの具体的な実現は第１実施例と一致し、ここで説明しない。
【００８７】
図１０は本発明の実施例における小セルラー基地局アクセスシステムの第３実施例の論理機能構造模式図であり、図１０に示すように、コントロールプレーンゲートウェイとユーザプレーンゲートウェイは共同設定されてマクロ基地局に設定され、この時、Ｓ１-ＭＭＥ１インターフェイスはＭＭＥとＭ-ｅＮＢの間のインターフェイスであり、Ｓ１-Ｕ１インターフェイスはＳＧＷとＭ-ｅＮＢの間のインターフェイスであり、Ｓ１-ＭＭＥ２、Ｓ１-Ｕ２はＭ-ｅＮＢとＳ-ｅＮＢの間のインターフェイスである。各ネットワークノードの機能はそれぞれ以下のとおりである。
【００８８】
ＭＭＥは、ＳＧＷの実現は図５に示すような第１実施例と一致し、ここで説明しない。
【００８９】
コントロールプレーンゲートウェイとユーザプレーンゲートウェイの機能は図５に示すような第１実施例と一致し、異なるのは、コントロールプレーンゲートウェイとユーザプレーンゲートウェイとの間のインターフェイスは内部インターフェイスであることである。
【００９０】
マクロセルラーは、ＭＭＥとの間にＳ１-ＭＭＥ１インターフェイスによって接続され、小セルラー基地局との間にＳ１-Ｕ２インターフェイス、Ｓ１-ＭＭＥ２インターフェイス、Ｘ-３インターフェイスがあり、ＵＥとの間にＵｕインターフェイスによって接続される。ＬＴＥシステムRelease11の基地局が備えた機能を有する以外、更に、小基地局との間にコントロールプレーンリンクを管理することをサポートし、Release11におけるＭＭＥと基地局の間にコントロールプレーンリンクを管理する機能、即ちＳ１-ＭＭＥインターフェイスの機能と類似し、小基地局との間にＳ１-Ｕ２インターフェイス接続を管理することをサポートし、Release11におけるＭＭＥが関連ＧＴＰ-Ｕチャンネルを管理するようにＳＧＷを制御する機能、即ちＳ１-Ｕインターフェイスの機能と類似するように設定される。
【００９１】
ある端末のあるＥ-ＲＡＢは小セルラーの間に転移する際に、マクロ基地局はマクロ基地局からＭＭＥまでのコントロールプレーンリンクを保持し、及びマクロ基地局からＳＧＷまでのＧＴＰ-Ｕチャンネルを保持する方式によって、このような転移によりＭＭＥとＳＧＷに与える影響を回避する。マクロセルラーは更に、アクセス制御と移動性管理を行うように設定される。
【００９２】
小セルラーは、マクロセルラー基地局との間にＳ１-Ｕ２インターフェイス、Ｓ１-ＭＭＥ２インターフェイス、Ｘ-３インターフェイスがあり、ＵＥとの間にＵｕインターフェイスによって接続される。端末との間にＬＴＥシステムのデータ無線ベアラ（ＤＲＢ）を確立することをサポートし、且つＤＲＢに通信するすべての機能を有する以外、更に、マクロ基地局との間にコントロールプレーンリンクとＧＴＰ-Ｕチャンネルを管理することをサポートするように設定される。
【００９３】
図１０に示すような第３実施例において、本発明の好ましい実施例のＵｕインターフェイスのプロトコルスタックは関連技術と同じで、本発明の好ましい実施例のＳ１-ＭＭＥ１インターフェイス、Ｓ１-ＭＭＥ２インターフェイスのプロトコルスタックは従来技術のＳ１-ＭＭＥインターフェイスと同じで、確立過程も同じであり、本発明の好ましい実施例のＳ１-Ｕ１インターフェイス、Ｓ１-Ｕ２インターフェイスのプロトコルスタックは従来技術のＳ１-Ｕと同じであり、確立過程も同じである。
【００９４】
図１０に示すような第３実施例において、コントロールプレーンリンクに基づきコントロールプレーンデータを処理するのは、アップリンク方向において、端末が１つ又は複数の無線インターフェイスによってデータを１つ又は複数の基地局に送信し、小基地局に対して、更にＳ１-ＭＭＥ２インターフェイスによってデータをマクロ基地局に送信し、マクロ基地局はＳ１-ＭＭＥ１インターフェイスによってデータをＭＭＥに送信することと、ダウンリンク方向において、ＭＭＥがＳ１-ＭＭＥ１インターフェイスによってデータをマクロ基地局に送信し、マクロ基地局がＳ１-ＭＭＥ２インターフェイスによってデータを小基地局に送信し又は無線インターフェイスによって端末に送信し、小基地局が無線インターフェイスによってデータを端末に送信することと、を含む。端末から小基地局までのコントロールプレーンリンクが存在してよく、存在しなくてもよく、存在しないと、端末と小基地局の間のコントロールプレーンはマクロ基地局（即ちＸ-３インターフェイス）によって転送される必要がある。
【００９５】
ユーザプレーンリンクに基づきユーザプレーンデータを処理するのは、アップリンク方向において、端末が１つ又は複数の無線インターフェイスによってデータを１つ又は複数の基地局に送信し、小基地局が再びＳ１-Ｕ２インターフェイスによってデータをマクロ基地局に送信する必要があり、マクロ基地局がＳ１-Ｕ１インターフェイスによってデータをＳＧＷに送信することと、ダウンリンク方向において、ＳＧＷがＳ１-Ｕ１インターフェイスによってデータをマクロ基地局に送信し、マクロ基地局がＳ１-Ｕ２インターフェイスによってデータを小基地局に送信し又は無線インターフェイスによって端末に送信し、小基地局は無線インターフェイスによってデータを端末に送信することと、を含む。
【００９６】
図１１は本発明の実施例における小セルラー基地局アクセスシステムの第３実施例のＧＴＰ-Ｕチャンネル確立のフローチャートであり、図１１に示すように、以下のステップ1100〜ステップ1103を含む。
【００９７】
ステップ1100、ＭＭＥはＳ１-ＭＭＥ１インターフェイスによってマクロセルラーに無線アクセスベアラ管理メッセージを送信する。
【００９８】
ステップ1101、マクロセルラーは小セルラーにＧＴＰ-Ｕチャンネルの確立を要求する無線ベアラ設定要求メッセージを送信する。
【００９９】
ステップ1102、マクロセルラーと小セルラーの間にＧＴＰ-Ｕチャンネルを確立する。
【０１００】
ステップ1103、小セルラーはマクロセルラーへ無線ベアラ設定確認メッセージを送信して、自分からマクロセルラーまでのＧＴＰ-Ｕチャンネルの確立を確認する。
【０１０１】
図１２は本発明における小セルラー基地局アクセスシステムの第３実施例のＧＴＰ-Ｕチャンネル削除のフローチャートであり、図１２に示すように、以下のステップ1200〜ステップ1202を含む。
【０１０２】
ステップ1200、マクロセルラーは小セルラーへＧＴＰ-Ｕチャンネルの削除を要求する無線ベアラ設定要求を送信する。
【０１０３】
ステップ1201、小セルラーとマクロセルラーの間のＧＴＰ-Ｕチャンネルを削除する。 
【０１０４】
ステップ1202、小セルラーはマクロセルラーへＧＴＰ-Ｕチャンネルの削除確認メッセージを送信する。
【０１０５】
図１３は本発明の実施例における小セルラー基地局アクセスシステムの第３実施例のＧＴＰ-Ｕチャンネル切り替えのフローチャートであり、仮に端末は小セルラー１から小セルラー２に移動すると、図１３に示すように、
端末が小セルラー１から小セルラー２に移動する際に、マクロセルラーが図１１に示すような過程を実行し、小セルラー２からマクロセルラーまでのＧＴＰ-Ｕチャンネルを確立し、且つ図１２に示すような過程にしたがって小セルラー１におけるＧＴＰ-Ｕチャンネルを削除することを含む。
【０１０６】
本発明の実施例における図１３に示すような端末は小セルラーの間に移動する際に、ＧＴＰ-Ｕチャンネルの管理はコアネットワークに影響を及ばず、無線側に大量の小セルラーを取り入れるのは可能となる。
【０１０７】
図１４は本発明の実施例における小セルラー基地局アクセスシステムの第４実施例の論理機能構造模式図であり、図１４に示すように、第４実施例において、マクロ基地局と小セルラー基地局の間に１つのゲートウェイ（ＧＷ２）が設定され、ＧＷ２は同時に小セルラーのコントロールプレーンとユーザプレーンの管理を担当し、図１０に示すような第３実施例の構造と比べて、異なるのは、Ｘ-３インターフェイス、Ｓ１-ＭＭＥ２インターフェイス（又はＸ-１インターフェイスとＳ１-ＭＭＥ２インターフェイスが一緒にＳ１-ＭＭＥ２＋インターフェイスと呼ばれる）、及びＳ１-Ｕ２インターフェイスが、ＧＷ２と小セルラー基地局との間のインターフェイスであり、ＧＷ２とマクロ基地局の間のインターフェイスでもあることである。各ネットワークノードの機能はそれぞれ以下の通りである。
【０１０８】
ＭＭＥについて、ＳＧＷの実現は図５に示すような第１実施例と一致し、ここで説明しない。
【０１０９】
マクロセルラーは、ＭＭＥとの間にＳ１-ＭＭＥ１インターフェイスによって接続され、小セルラー基地局との間にゲートウェイＧＷ２を介してＳ１-Ｕ２インターフェイス、Ｓ１-ＭＭＥ２インターフェイス（更にＸ-３インターフェイスを含む）接続を確立し、ＵＥとの間にＵｕインターフェイスによって接続される。ＬＴＥシステムRelease11の基地局が備えた機能を有する以外、更に、ゲートウェイＧＷ２との間にコントロールプレーンリンクを管理することをサポートする機能を有するように設定される。マクロセルラーはアクセス制御と移動性管理を行うように設定される。
【０１１０】
ゲートウェイＧＷ２は、基地局との間にコントロールプレーンリンクとユーザプレーンリンクを管理する機能をサポートし、Release11におけるＭＭＥと基地局の間にコントロールプレーンリンクを管理する機能、即ちＳ１-ＭＭＥインターフェイスの機能、及びRelease11におけるＳＧＷと基地局の間にユーザプレーンリンクを管理する機能、即ちＳ１-Ｕインターフェイスの機能と類似する。
【０１１１】
ある端末のあるＥ-ＲＡＢは同一のゲートウェイでの小セルラーの間に転移する際に、ゲートウェイＧＷ２はマクロ基地局までのコントロールプレーンリンクとユーザプレーンリンクを保持する方式によって、このような転移によりＭＭＥとＳＧＷに与える影響を回避する。ゲートウェイはマクロセルラーにとって無視されるものである。
【０１１２】
小セルラーは、マクロセルラーとの間にゲートウェイＧＷ２を介してＳ１-Ｕ２インターフェイス、Ｓ１-ＭＭＥ２インターフェイス（更にＸ-３インターフェイスを含む）接続を確立し、ＵＥとの間にＵｕインターフェイスによって接続される。端末との間にＬＴＥシステムのデータ無線ベアラ（ＤＲＢ）を確立することをサポートし、且つＤＲＢに通信するすべての機能を備えるように設定され、更に、ゲートウェイとの間にコントロールプレーンリンクとＳ１-Ｕ２インターフェイス接続を管理することをサポートするように設定される。
【０１１３】
図１４に示すような第４実施例において、本発明の好ましい実施例のＵｕインターフェイスのプロトコルスタックは関連技術と同じで、本発明の好ましい実施例のＳ１-ＭＭＥ１インターフェイス、Ｓ１-ＭＭＥ２インターフェイスのプロトコルスタックは関連技術のＳ１-ＭＭＥインターフェイスと同じで、確立過程も同じであり、本発明の好ましい実施例のＳ１-Ｕ１インターフェイス、Ｓ１-Ｕ２インターフェイスのプロトコルスタックは関連技術のＳ１-Ｕインターフェイスと同じで、確立過程も同じである。
【０１１４】
図１４に示すように第４実施例において、コントロールプレーンリンクに基づきコントロールプレーンデータを処理するのは、アップリンク方向において、端末が１つ又は複数の無線インターフェイスによってデータを１つ又は複数の基地局に送信し、小基地局はＳ１-ＭＭＥ２インターフェイスによってデータをＧＷ２に送信し、ＧＷ２がＳ１-ＭＭＥ２インターフェイスによってデータをマクロ基地局に送信し、マクロ基地局が再びＳ１-ＭＭＥ１インターフェイスによってデータをＭＭＥに送信することと、ダウンリンク方向において、ＭＭＥがＳ１-ＭＭＥ１インターフェイスによってデータをマクロ基地局に送信し、マクロ基地局がＳ１-ＭＭＥ２インターフェイスによってデータをＧＷ２に送信し或いは無線インターフェイスによって端末に送信し、ＧＷ２はＳ１-ＭＭＥ２インターフェイスによってデータを小基地局に送信し、小基地局が無線インターフェイスによってデータを端末に送信することと、を含む。端末から小基地局までのコントロールプレーンリンクは存在してよく、存在しなくてもよく、存在しないと、端末と小基地局の間のコントロールプレーンをマクロ基地局（即ちＸ-３インターフェイス）によって転送する必要がある。
【０１１５】
ユーザプレーンリンクに基づきユーザプレーンデータを処理するのは、アップリンク方向において、端末が１つ又は複数の無線インターフェイスによってデータを１つ又は複数の基地局に送信し、小基地局に対して、更に、Ｓ１-Ｕ２インターフェイスによってデータをＧＷ２に送信する必要があり、ＧＷ２が再びＳ１-Ｕ２インターフェイスによってデータをマクロ基地局に送信し、マクロ基地局がＳ１-Ｕ１インターフェイスによってデータをＳＧＷに送信することと、ダウンリンク方向において、ＳＧＷがＳ１-Ｕ１インターフェイスによってデータをマクロ基地局に送信し、マクロ基地局がＳ１-Ｕ２インターフェイスによってデータを小基地局に送信し又は直接に無線インターフェイスによって端末に送信し、小基地局が無線インターフェイスによってデータを端末に送信することと、を含む。
【０１１６】
図１５は本発明の実施例における小セルラー基地局アクセスシステムの第４実施例のＧＴＰ-Ｕチャンネル確立のフローチャートであり、本実施例において、ゲートウェイは図１４に示すようなＧＷ２であり、図１５に示すように、以下のステップ1500〜ステップ1503を含む。
【０１１７】
ステップ1500、ＭＭＥはＳ１-ＭＭＥインターフェイスによってマクロセルラーに無線アクセスベアラ管理メッセージを送信する。
【０１１８】
ステップ1501、マクロセルラーはゲートウェイを介して小セルラーにＧＴＰ-Ｕチャンネルの確立を要求する無線ベアラ設定要求メッセージを送信する。
【０１１９】
ステップ1502、マクロセルラーと小セルラーの間、及びゲートウェイとマクロセルラーの間にＧＴＰ-Ｕチャンネルを確立する。
【０１２０】
ステップ1503、小セルラーはゲートウェイを介してマクロセルラーに無線ベアラ設定確認メッセージを送信する。
【０１２１】
図１６は本発明の実施例における小セルラー基地局アクセスシステムの第４実施例のＧＴＰ-Ｕチャンネル削除のフローチャートであり、図１６に示すように、以下のステップ1600〜ステップ1602を含む。
【０１２２】
ステップ1600、マクロセルラーはゲートウェイを介して小セルラーにＧＴＰ-Ｕチャンネルの削除を要求する無線ベアラ設定要求メッセージを送信する。
【０１２３】
ステップ1601、小セルラーとゲートウェイの間、及びゲートウェイとマクロセルラーの間のＧＴＰ-Ｕチャンネルを削除する。
【０１２４】
ステップ1602、小セルラーはゲートウェイを介してマクロセルラーにＧＴＰ-Ｕチャンネル削除確認メッセージを送信する。
【０１２５】
図１７は本発明の実施例における小セルラー基地局アクセスシステムの第４実施例のＧＴＰ-Ｕチャンネル切り替えのフローチャートであり、仮に端末は小セルラー１から小セルラー２に移動すると、図１７に示すように、
端末が小セルラー１から小セルラー２に移動する際に、マクロセルラーが図１５に示すような過程を参照するが、この時、小セルラー２からゲートウェイまでのＧＴＰ-Ｕチャンネルを確立すればよく、且つ図１６に示すような過程を参照して、小セルラー１とゲートウェイの間のＧＴＰ-Ｕチャンネルを削除することを含む。
【０１２６】
図１４に示すような第４実施例において、ＧＴＰ-Ｕチャンネルはマクロセルラーとゲートウェイの間、及びゲートウェイと小セルラー１の間の２つのＧＴＰ-Ｕチャンネルからなる。本発明の実施例における図１７に示すような端末は小セルラーの間に移動する際に、ＧＴＰ-Ｕチャンネルの管理はコアネットワークに影響を及ばず、無線側に大量の小セルラーを取り入れるのは可能となる。
【０１２７】
図１８は本発明の実施例における小セルラー基地局アクセスシステムの第５実施例の論理機能構造模式図であり、図１８に示すように、第５実施例において、コントロールプレーンゲートウェイはマクロ基地局に設定され、ユーザプレーンゲートウェイは独立な実体であり、各ネットワークノードの機能はそれぞれ以下のとおりである。
【０１２８】
ＭＭＥは、マクロ基地局との間にＳ１-ＭＭＥ１インターフェイスによって接続され、ＳＧＷとの間にＳ１１インターフェイスによって接続される。ＬＴＥシステムRelease11のＭＭＥの従来の機能をサポートする。
【０１２９】
ＳＧＷは、ユーザプレーンゲートウェイとの間にＳ１-Ｕ１インターフェイスによって接続される。ＬＴＥシステムRelease11のＳＧＷの従来の機能を有する以外、更に、ユーザプレーンゲートウェイとの間にＳ１-Ｕ１インターフェイス接続を管理することをサポートするように設定される。
【０１３０】
マクロセルラーは、コントロールプレーンゲートウェイが設定される。ＭＭＥとの間にＳ１-ＭＭＥ１インターフェイスによって接続され、小セルラー基地局との間にＳ１-ＭＭ２インターフェイス（更にＸ-３インターフェイスを含む）によって接続され、ユーザプレーンゲートウェイとの間のインターフェイスはＸ-１インターフェイス、Ｓ１-Ｕ２インターフェイスを含み、ＵＥとの間にＵｕインターフェイスによって接続される。ＬＴＥシステムRelease11の基地局が備えた機能を有する以外、更に、ユーザプレーンゲートウェイとの間にＳ１-Ｕ２インターフェイスの接続を管理することをサポートし、小セルラー基地局との間にコントロールプレーンリンクを管理する機能をサポートするように設定され、Release11におけるＭＭＥと基地局の間にコントロールプレーンリンクを管理する機能、即ちＳ１-ＭＭＥインターフェイスの機能と類似し、また、更に、Ｓ１-Ｕ２インターフェイス接続を管理するようにユーザプレーンゲートウェイを制御するように設定され、Release11におけるＭＭＥが関連ＧＴＰ-Ｕチャンネルを管理するようにＳＧＷを制御する機能、即ちＳ１-Ｕインターフェイスの機能と類似し、関連ＧＴＰ-ＵチャンネルはユーザプレーンゲートウェイとＳＧＷの間のＳ１-Ｕ１インターフェイス接続、及びユーザプレーンゲートウェイと基地局の間のＳ１-Ｕ２インターフェイス接続を含む。マクロセルラーはアクセス制御と移動性管理を行う。
【０１３１】
ある端末のあるＥ-ＲＡＢは小セルラーの間に転移する際に、マクロセルラーはコントロールプレーンゲートウェイからＭＭＥまでのコントロールプレーンリンクを保持する方式によって、このような転移によりＭＭＥに与える影響を回避する。
【０１３２】
ユーザプレーンゲートウェイは、ＳＧＷとの間にＳ１-Ｕ１インターフェイスによって接続され、マクロ基地局との間にＳ１-Ｕ２インターフェイス、Ｘ-１インターフェイスによって接続され、小セルラー基地局との間にＳ１-Ｕ２インターフェイスによって接続される。ＳＧＷとの間にＳ１-Ｕ１インターフェイスの接続を管理し、及び基地局との間にＳ１-Ｕ２インターフェイス接続を管理する機能をサポートするように設定され、Release11におけるＳＧＷと基地局の間にＧＴＰ-Ｕチャンネルを管理する機能、即ちＳ１-Ｕインターフェイスの機能と類似し、これらの管理過程はコントロールプレーンゲートウェイによって制御される。
【０１３３】
ある端末のあるＥ-ＲＡＢは小セルラーの間に転移する際に、ユーザプレーンゲートウェイはユーザプレーンゲートウェイからＳＧＷまでのＧＴＰ-Ｕチャンネルを保持する方式によって、このような転移によりＳＧＷに与える影響を回避する。ユーザプレーンゲートウェイはマクロセルラーにとって無視されるものである。
【０１３４】
小セルラーは、ユーザプレーンゲートウェイとの間にＳ１-Ｕ２インターフェイスによって接続され、マクロ基地局との間にＳ１-ＭＭＥ２インターフェイス（更にＸ-３インターフェイスを含む）によって接続され、ＵＥとの間にＵｕインターフェイスによって接続される。端末との間にＬＴＥシステムのデータ無線ベアラ（ＤＲＢ）を確立すること、及びＤＲＢに通信するすべての機能をサポートするように設定され、更に、コントロールプレーンゲートウェイとの間にコントロールプレーンリンクを管理し、ユーザプレーンゲートウェイとの間にＳ１-Ｕ２インターフェイスの接続を管理することをサポートするように設定される。
【０１３５】
図１８に示すような第５実施例において、本発明の好ましい実施例のＵｕインターフェイスのプロトコルスタックは関連技術と同じであり、本発明の好ましい実施例のＳ１-ＭＭＥ１インターフェイス、Ｓ１-ＭＭＥ２インターフェイスのプロトコルスタックは関連技術のＳ１-ＭＭＥと同じで、確立過程も同じであり、本発明の好ましい実施例のＳ１-Ｕ１インターフェイス、Ｓ１-Ｕ２インターフェイスのプロトコルスタックは関連技術のＳ１-Ｕと同じで、確立過程も同じであり、本発明の好ましい実施例のＸ-１インターフェイスのプロトコルスタックは関連技術のＳ１-Ｃと同じで、確立過程も同じである。
【０１３６】
図１８に示すような第５実施例において、コントロールプレーンリンクに基づきコントロールプレーンデータを処理するのは、アップリンク方向において、端末が１つ又は複数の無線インターフェイスによってデータを１つ又は複数の基地局に送信し、小基地局に対して、Ｓ１-ＭＭＥ２インターフェイスによってデータをマクロ基地局に送信する必要があり、マクロ基地局がＳ１-ＭＭＥ１インターフェイスによってデータをＭＭＥに送信することと、ダウンリンク方向において、ＭＭＥがＳ１-ＭＭＥ１インターフェイスによってデータをマクロ基地局に送信し、マクロ基地局が再びＳ１-ＭＭＥ２インターフェイスによってデータを小基地局に送信し又は直接に無線インターフェイスによって端末に送信し、小基地局が無線インターフェイスによってデータを端末に送信することと、を含む。小基地局と端末の間のコントロールプレーンリンクは存在してよく、存在しなくてもよく、存在しないと、端末と小基地局の間のコントロールプレーンはマクロ基地局（即ちＸ-３インターフェイス）によって転送される必要がある。
【０１３７】
ユーザプレーンリンクに基づきユーザプレーンデータを処理するのは、アップリンク方向において、端末が１つ又は複数の無線インターフェイスによってデータを１つ又は複数の基地局に送信し、１つ又は複数の基地局がＳ１-Ｕ２インターフェイスによってデータをユーザプレーンゲートウェイに送信し、ユーザプレーンゲートウェイが再びＳ１-Ｕ１インターフェイスによってデータをＳＧＷに送信することと、ダウンリンク方向において、ＳＧＷがＳ１-Ｕ１インターフェイスによってデータをユーザプレーンゲートウェイに送信し、ユーザプレーンゲートウェイがＳ１-Ｕ２インターフェイスによってデータを１つ又は複数の基地局に送信し、基地局が再び無線インターフェイスによってデータを端末に送信することと、を含む。
【０１３８】
図１９は本発明の実施例における小セルラー基地局アクセスシステムの第５実施例のＧＴＰ-Ｕチャンネル確立のフローチャートであり、図１９に示すように、以下のステップ1900〜ステップ1903を含む。
【０１３９】
ステップ1900、ＭＭＥはＳ１-ＭＭＥインターフェイスによってマクロセルラーに無線アクセスベアラ管理メッセージを送信する。
【０１４０】
ステップ1901、マクロセルラーは小セルラーにＧＴＰ-Ｕチャンネルの確立を要求する無線ベアラ設定要求メッセージを送信する。
【０１４１】
ステップ1902、小セルラーとユーザプレーンゲートウェイとの間、及びユーザプレーンゲートウェイとＳＧＷの間のＧＴＰ-Ｕチャンネルを確立する。
【０１４２】
ステップ1903、小セルラーはマクロセルラーに無線ベアラ設定確認メッセージを送信して、コアネットワークのＧＴＰ-Ｕチャンネル確立を確認する。
【０１４３】
図２０は本発明の実施例における小セルラー基地局アクセスシステムの第５実施例のＧＴＰ-Ｕチャンネル削除のフローチャートであり、図２０に示すように、以下のステップ2000〜ステップ2002を含む。
【０１４４】
ステップ2000、マクロセルラーは小セルラーにＧＴＰ-Ｕチャンネルの削除を要求する無線ベアラ設定要求メッセージを送信する。
【０１４５】
ステップ2001、小セルラーとユーザプレーンゲートウェイの間、及びユーザプレーンゲートウェイとＳＧＷの間のＧＴＰ-Ｕチャンネルを削除する。
【０１４６】
ステップ2002、小セルラーはマクロセルラーにＧＴＰ-Ｕチャンネル削除確認メッセージを送信する。
【０１４７】
図２１は本発明の実施例における小セルラー基地局アクセスシステムの第５実施例のＧＴＰ-Ｕチャンネル切り替えのフローチャートであり、仮に端末は小セルラー１から小セルラー２に移動すると、図２１に示すように、
端末が小セルラー１から小セルラー２に移動する際に、マクロセルラーが図１９に示すような過程を実行し、小セルラー２からＳＧＷまでのＧＴＰ-Ｕチャンネルを確立し、このＧＴＰ-ＵチャンネルがＳＧＷとユーザプレーンゲートウェイの間、及びユーザプレーンゲートウェイと小セルラー２の間の２つのＧＴＰ-Ｕチャンネルを含み、且つ図２０に示す過程にしたがって、小セルラー１におけるＧＴＰ-Ｕチャンネルを削除することを含む。
【０１４８】
本発明の実施例における図２１に示すような端末は小セルラーの間に移動する際に、ＧＴＰ-Ｕチャンネルの管理はコアネットワークに影響を及ばず、無線側に大量の小セルラーを取り入れるのは可能となる。
【０１４９】
図２２は本発明の実施例における小セルラー基地局アクセスシステムの第６実施例の論理機能構造模式図であり、本実施例において、ユーザプレーンゲートウェイはＳＧＷに設定されてＳＧＷ＋となり、コントロールプレーンゲートウェイはＭＭＥに設定されてＭＭＥ＋となり、図２２に示すように、図５に示すような第１実施例の構造との区別は、Ｓ１-ＭＭＥ１インターフェイスがＭＭＥネット要素の内部インターフェイスとなり、Ｓ１-Ｕ１インターフェイスがＳＧＷネット要素の内部インターフェイスとなり、Ｓ１-ＭＭＥ２インターフェイスがＭＭＥとマクロ基地局の間、ＭＭＥと小基地局の間のインターフェイスとなり、Ｓ１-Ｕ２インターフェイスがＳＧＷとマクロ基地局の間、ＳＧＷとＳ-ｅＮＢの間のインターフェイスとなり、Ｘ-１インターフェイスがＭＭＥとＳＧＷの間のインターフェイスの１つとなることである。具体的に、図２２に示すように、マクロセルラー、小セルラーの機能は関連技術と一致し、その他の各ネットワークノードの機能はそれぞれ以下のとおりである。
【０１５０】
ＭＭＥは、コントロールプレーンゲートウェイが設定される。ＳＧＷとの間にＳ１１インターフェイス、Ｘ-１インターフェイスによって接続され、Ｓ１-ＭＭＥ２インターフェイスによってそれぞれマクロ基地局と小セルラー基地局に接続される。ＬＴＥシステムRelease11のＭＭＥの従来の機能を有する以外、更に、同一のユーザーに対して２つのＳ１-ＭＭＥ２インターフェイスを管理することをサポートしてそれぞれ異なる基地局に接続されるように設定される。
【０１５１】
ＳＧＷは、ユーザプレーンゲートウェイが設定される。ＭＭＥとの間にＳ１１インターフェイス、Ｘ-１インターフェイスによって接続され、Ｓ１-Ｕ２インターフェイスによってそれぞれマクロ基地局と小セルラー基地局に接続される。ＬＴＥシステムRelease11のＳＧＷの従来の機能を有する以外、更に、同一のユーザーに対して２つのＳ１-Ｕ２インターフェイスを管理することをサポートしてそれぞれ異なる基地局に接続されるように設定される。
【０１５２】
図２２に示すような本発明の第６実施例において、そのネットワークアクセス方法は関連技術と一致し、ＧＴＰ-Ｕチャンネルの確立、削除、切り替えの実現方法は関連技術と一致する。しかしながら、本実施例において、コントロールプレーンがデータプレーンと分離し、端末と２つの異なる基地局、例えばマクロセルラー（基地局）と小セルラー（基地局）に同時にデータの送受信が存在するため、ユーザースループットを増加して移動性能を強化し、ユーザーがセルの間に切り替えることによりノード間の情報を頻繁に交換させ、コアネットワークを衝撃する問題を解決し、コアネットワークに対するシグナリング衝撃を回避し、更に、無線側における大量の小セルラー基地局の取り入れを実現する。
【０１５３】
上記のものは、本発明の好ましい実例だけであり、本発明の保護範囲を制限するものではない。本発明の精神と原則にある限り、行ったいずれの修正、等価置き換え、改善等は、いずれも本発明の保護範囲に含まれるべきである。
【産業上の利用可能性】
【０１５４】
本発明の実施例はそれぞれコントロールプレーンリンクとユーザプレーンリンクを確立し、小セルラー基地局アクセスシステムは確立したコントロールプレーンリンクによって端末にアクセスしたコントロールプレーンデータを処理し、確立したユーザプレーンリンクによって端末にアクセスしたユーザプレーンデータを処理する。本発明の実施例はコントロールプレーンとデータプレーンとの分離によって、端末と２つの異なる基地局、例えばマクロセルラー（基地局）と小セルラー（基地局）に同時にデータの送受信が存在し、ユーザースループットを増加して移動性能を強化し、且つユーザーがセルの間に切り替えることによりノードの間の情報を頻繁に交換させ、コアネットワークを衝撃する問題を解決し、更に、無線側における大量の小セルラー基地局の取り入れを実現する。
【図１】
2016522634.tif 000003
【図２ａ】
2016522634.tif 000004
【図２ｂ】
2016522634.tif 000005
【図２ｃ】
2016522634.tif 000006
【図２ｄ】
2016522634.tif 000007
【図３ａ】
2016522634.tif 000008
【図３ｂ】
2016522634.tif 000009
【図３ｃ】
2016522634.tif 000010
【図４】
2016522634.tif 000011
【図５】
2016522634.tif 000012
【図６】
2016522634.tif 000013
【図７】
2016522634.tif 000014
【図８】
2016522634.tif 000015
【図９】
2016522634.tif 000016
【図１０】
2016522634.tif 000017
【図１１】
2016522634.tif 000018
【図１２】
2016522634.tif 000019
【図１３】
2016522634.tif 000020
【図１４】
2016522634.tif 000021
【図１５】
2016522634.tif 000022
【図１６】
2016522634.tif 000023
【図１７】
2016522634.tif 000024
【図１８】
2016522634.tif 000025
【図１９】
2016522634.tif 000026
【図２０】
2016522634.tif 000027
【図２１】
2016522634.tif 000028
【図２２】
2016522634.tif 000029
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
無線アクセスネットワーク及びコアネットワークを接続し、コアネットワークと無線アクセスネットワークの間のコントロールプレーンリンクを構築し、コントロールプレーンシグナリングのアグリゲーション配信ノードとして、異なる無線アクセスネットワークノードからのシグナリングをアグリゲーションしてコアネットワークに送信し、或いはコアネットワークからのシグナリングを異なる無線アクセスネットワークノードに配信し、１つ或いは複数の無線アクセスネットワークノードを管理協調するように設定されるコントロールプレーンゲートウェイ、
無線アクセスネットワーク及びコアネットワークを接続し、コアネットワークと無線アクセスネットワークの間のユーザプレーンリンクを構築し、ユーザプレーンデータのアグリゲーション配信ノードとして、異なる無線アクセスネットワークノードからのデータをアグリゲーションしてコアネットワークに送信し、或いはコアネットワークからのデータを異なる無線アクセスネットワークノードに配信するように設定されるユーザプレーンゲートウェイを含み、
前記コントロールプレーンゲートウェイとユーザプレーンゲートウェイとの間に接続リンクが確立される小セルラー基地局アクセスシステム。
【請求項２】
前記コントロールプレーンゲートウェイは更に、確立した接続リンクによって、ユーザプレーンゲートウェイに対する制御及び管理を実現するように設定され、
好ましいのは、
前記ユーザプレーンゲートウェイに対する制御及び管理は、前記ユーザプレーンゲートウェイとコアネットワークの間、及び前記ユーザプレーンゲートウェイと無線アクセスネットワークノードの間の接続の確立、削除及び修正を制御することを含む請求項１に記載の小セルラー基地局アクセスシステム。
【請求項３】
前記コントロールプレーンゲートウェイは１つ又は１つ以上であり、
前記ユーザプレーンゲートウェイは１つ又は１つ以上である請求項１に記載の小セルラー基地局アクセスシステム。
【請求項４】
コントロールプレーンゲートウェイに接続される移動性管理エンティティＭＭＥ、ユーザプレーンゲートウェイ及びＭＭＥに接続されるサービスゲートウェイＳＧＷ、コントロールプレーンゲートウェイ及びユーザプレーンゲートウェイにそれぞれ接続されるマクロ基地局、コントロールプレーンゲートウェイ及びユーザプレーンゲートウェイにそれぞれ接続される小セルラー基地局を更に含む請求項３に記載の小セルラー基地局アクセスシステム。
【請求項５】
前記ユーザプレーンゲートウェイ及びコントロールプレーンゲートウェイはそれぞれ独立な物理ノードであり、
前記ＭＭＥは、前記コントロールプレーンゲートウェイとの間にＳ１-ＭＭＥ１インターフェイスによって接続され、前記ＳＧＷとの間にＳ１１インターフェイスによって接続されるように設定され、更に、前記コントロールプレーンゲートウェイとの間にコントロールプレーンリンクを管理することをサポートするように設定され、
前記ＳＧＷは、前記ユーザプレーンゲートウェイとの間にＳ１-Ｕ１インターフェイスによって接続されるように設定され、更に、前記ユーザプレーンゲートウェイとの間にＳ１-Ｕ１インターフェイス接続を管理することをサポートするように設定され、
前記コントロールプレーンゲートウェイは、前記ＭＭＥとの間にＳ１-ＭＭＥ１インターフェイスによって接続され、前記マクロ基地局又は/及び小セルラー基地局との間にＳ１-ＭＭＥ２インターフェイスによって接続され、前記ユーザプレーンゲートウェイとの間にＸ-１インターフェイスによって接続されるように設定され、更に、ＭＭＥとの間にコントロールプレーンリンクを管理し、及び基地局との間にコントロールプレーンリンクを管理する機能をサポートし、ユーザプレーンゲートウェイとＳＧＷの間に確立したＳ１-Ｕ１インターフェイス接続を管理し、及びユーザプレーンゲートウェイと基地局の間に確立したＳ１-Ｕ２インターフェイス接続を管理するように設定され、
前記ユーザプレーンゲートウェイは、前記ＳＧＷとの間にＳ１-Ｕ１インターフェイスによって接続され、マクロ基地局又は小セルラー基地局との間にＳ１-Ｕ２インターフェイスによって接続され、コントロールプレーンゲートウェイとの間にＸ-１インターフェイスによって接続されるように設定され、更に、前記コントロールプレーンゲートウェイの制御で、前記ＳＧＷとの間にＳ１-Ｕ１インターフェイス接続を管理し、及び基地局との間にＳ１-Ｕ２インターフェイス接続を管理することをサポートするように設定され、
前記マクロ基地局は、前記コントロールプレーンゲートウェイとの間にＳ１-ＭＭＥ２インターフェイスによって接続され、前記ユーザプレーンゲートウェイとの間にＳ１-Ｕ２インターフェイスによって接続されるように設定され、更に、前記コントロールプレーンゲートウェイとの間にコントロールプレーンリンクを管理し、前記ユーザプレーンゲートウェイとの間にＳ１-Ｕ２インターフェイス接続を管理することをサポートするように設定され、
前記小セルラー基地局は、前記ユーザプレーンゲートウェイとの間にＳ１-Ｕ２インターフェイスによって接続され、前記コントロールプレーンゲートウェイとの間にＳ１-ＭＭＥ２インターフェイスによって接続されるように設定され、更に、前記コントロールプレーンゲートウェイとの間にコントロールプレーンリンクを管理し、前記ユーザプレーンゲートウェイとの間にＳ１-Ｕ２インターフェイス接続を管理することをサポートするように設定される請求項４に記載の小セルラー基地局アクセスシステム。
【請求項６】
前記コントロールプレーンゲートウェイは更に、その他のコントロールプレーンゲートウェイとの間にＸ-Ｃインターフェイスによって接続され、コントロールプレーンゲートウェイをまたがって移動する時のノード間の協議に使用されるように設定され、
又は
前記ユーザプレーンゲートウェイは更に、その他のユーザプレーン基地局との間にＸ-Ｕインターフェイスによって接続され、ユーザプレーンゲートウェイをまたがって移動する時にノード間のデータを伝送することに使用されるように設定される請求項５に記載の小セルラー基地局アクセスシステム。
【請求項７】
前記コントロールプレーンゲートウェイとユーザプレーンゲートウェイは同一の物理エンティティに共同設定され、この時、前記コントロールプレーンゲートウェイとユーザプレーンゲートウェイとの間のＸ-１インターフェイスは内部インターフェイスであり、
又は
前記コントロールプレーンゲートウェイとユーザプレーンゲートウェイは共同設定されてマクロ基地局に設定され、
前記ＭＭＥは、前記マクロ基地局との間にＳ１-ＭＭＥ１インターフェイスによって接続され、前記ＳＧＷとの間にＳ１１インターフェイスによって接続されるように設定され、更に、前記マクロ基地局に設定されるコントロールプレーンゲートウェイとの間にコントロールプレーンリンクを管理することをサポートするように設定され、
前記ＳＧＷは、前記マクロ基地局との間にＳ１-Ｕ１インターフェイスによって接続されるように設定され、更に、前記マクロ基地局に設定されるユーザプレーンゲートウェイとの間にＳ１-Ｕ１接続を管理することをサポートするように設定され、
前記マクロ基地局は、前記ＭＭＥとの間にＳ１-ＭＭＥ１インターフェイスによって接続され、前記小セルラー基地局との間にＳ１-Ｕ２インターフェイス、Ｓ１-ＭＭＥ２インターフェイスがあるように設定され、更に、小セルラー基地局との間にコントロールプレーンリンクを管理することをサポートし、前記小セルラー基地局との間にＳ１-Ｕ２接続を管理することをサポートするように設定され、
前記小セルラー基地局は、前記マクロ基地局との間にＳ１-Ｕ２インターフェイス、Ｓ１-ＭＭＥ２インターフェイスがあるように設定され、更に、前記マクロ基地局との間にコントロールプレーンリンクとＳ１-Ｕ２接続を管理することをサポートするように設定され、
又は
前記コントロールプレーンゲートウェイとユーザプレーンゲートウェイは共同設定されてマクロ基地局に設定され、
前記マクロ基地局と小セルラー基地局との間に更に１つのゲートウェイが設定され、同時に小セルラー基地局のコントロールプレーンとユーザプレーンの管理を担当し、
前記ＭＭＥは、前記マクロ基地局との間にＳ１-ＭＭＥ１インターフェイスによって接続され、前記ＳＧＷとの間にＳ１１インターフェイスによって接続されるように設定され、更に、前記マクロ基地局に設定されるコントロールプレーンゲートウェイとの間にコントロールプレーンリンクを管理することをサポートするように設定され、
前記ＳＧＷは、前記マクロ基地局との間にＳ１-Ｕ１インターフェイスによって接続されるように設定され、更に、前記マクロ基地局に設定されるユーザプレーンゲートウェイとの間にＳ１-Ｕ１接続を管理することをサポートするように設定され、
前記マクロ基地局は、前記ＭＭＥとの間にＳ１-ＭＭＥ１インターフェイスによって接続され、前記小セルラー基地局との間にゲートウェイを介してＳ１-Ｕ２インターフェイス、Ｓ１-ＭＭＥ２インターフェイス接続を確立するように設定され、更に、前記ゲートウェイとの間にコントロールプレーンリンクを管理することをサポートするように設定され、
前記ゲートウェイは、基地局との間にコントロールプレーンリンクとユーザプレーンリンクを管理することをサポートするように設定され、
前記小セルラー基地局は、前記マクロ基地局との間に前記ゲートウェイを介してＳ１-Ｕ２インターフェイス、Ｓ１-ＭＭＥ２インターフェイス接続を確立するように設定され、更に、端末との間にＬＴＥシステムのデータ無線ベアラを確立してＤＲＢに通信できることをサポートし、及びゲートウェイとの間にコントロールプレーンリンクとＳ１-Ｕ２インターフェイス接続を管理することをサポートするように設定され、
好ましいのは、前記マクロ基地局と小セルラー基地局の間に、前記ゲートウェイを介してＸ-３インターフェイス接続を確立する請求項４に記載の小セルラー基地局アクセスシステム。
【請求項８】
前記コントロールプレーンゲートウェイはマクロ基地局に設定され、前記ユーザプレーンゲートウェイは独立な実体であり、
前記ＭＭＥは、前記マクロ基地局との間にＳ１-ＭＭＥ１インターフェイスによって接続され、ＳＧＷとの間にＳ１１インターフェイスによって接続されるように設定され、
前記ＳＧＷは、前記ユーザプレーンゲートウェイとの間にＳ１-Ｕ１インターフェイスによって接続されるように設定され、更に、前記ユーザプレーンゲートウェイとの間にＳ１-Ｕ１インターフェイス接続を管理することをサポートするように設定され、
前記マクロ基地局は、コントロールプレーンゲートウェイが設定され、前記ＭＭＥとの間にＳ１-ＭＭＥ１インターフェイスによって接続され、小セルラー基地局との間にＳ１-ＭＭＥ２インターフェイスによって接続され、前記ユーザプレーンゲートウェイとの間のインターフェイスがＸ-１インターフェイス、Ｓ１-Ｕ２インターフェイスを含むように設定され、更に、ユーザプレーンゲートウェイとの間にＳ１-Ｕ２インターフェイス接続を管理することをサポートし、小セルラー基地局との間にコントロールプレーンリンクを管理することをサポートし、ユーザプレーンゲートウェイとＳＧＷの間のＳ１-Ｕ１インターフェイス接続、及びユーザプレーンゲートウェイと基地局の間のＳ１-Ｕ２インターフェイス接続を管理するように前記ユーザプレーンゲートウェイを制御するように設定され、
前記ユーザプレーンゲートウェイは、前記ＳＧＷとの間にＳ１-Ｕ１インターフェイスによって接続され、前記マクロ基地局との間にＳ１-Ｕ２インターフェイス、Ｘ-１インターフェイスによって接続され、小セルラー基地局との間にＳ１-Ｕ２インターフェイスによって接続されるように設定され、更に、ＳＧＷとの間にＳ１-Ｕ１インターフェイス接続を管理し、及び基地局との間にＳ１-Ｕ２インターフェイス接続を管理することをサポートするように設定され、
前記小セルラー基地局は、前記ユーザプレーンゲートウェイとの間にＳ１-Ｕ２インターフェイスによって接続され、前記マクロ基地局との間にＳ１-ＭＭＥ２インターフェイスによって接続され、端末との間にＬＴＥシステムのデータ無線ベアラを確立してＤＲＢに通信することをサポートし、及びコントロールプレーンゲートウェイとの間にコントロールプレーンリンクを管理し、ユーザプレーンゲートウェイとの間にＳ１-Ｕ２インターフェイス接続を管理することをサポートするように設定され、
又は
前記マクロ基地局と小セルラー基地局との間にＸ-３インターフェイスによって接続されることを更に含み、
又は
前記ユーザプレーンゲートウェイはＳＧＷに設定され、前記コントロールプレーンゲートウェイはＭＭＥに設定され、
前記ＭＭＥは、コントロールプレーンゲートウェイが設定され、前記ＳＧＷとの間にＳ１１インターフェイス、Ｘ-１インターフェイスによって接続され、Ｓ１-ＭＭＥ２インターフェイスによってそれぞれマクロ基地局と小セルラー基地局に接続されるように設定され、更に、同一のユーザーに対して２つのＳ１-ＭＭＥ２インターフェイスを管理してそれぞれ異なる基地局に接続されることをサポートするように設定され、
前記ＳＧＷは、ユーザプレーンゲートウェイが設定され、前記ＭＭＥとの間にＳ１１インターフェイス、Ｘ-１インターフェイスによって接続され、Ｓ１-Ｕ２インターフェイスによってそれぞれマクロ基地局と小セルラー基地局に接続されるように設定され、更に、同一のユーザーに対して２つのＳ１-Ｕ２インターフェイスを管理してそれぞれ異なる基地局に接続されることをサポートするように設定される請求項５に記載の小セルラー基地局アクセスシステム。
【請求項９】
小セルラー基地局アクセスシステムに、
無線アクセスネットワークとコアネットワークを接続し、コアネットワークと無線アクセスネットワークとの間のコントロールプレーンリンクを構築するように設定されるコントロールプレーンゲートウェイ、
無線アクセスネットワークとコアネットワークを接続し、コアネットワークと無線アクセスネットワークとの間のユーザプレーンリンクを構築するように設定されるユーザプレーンゲートウェイが設定され、 
前記コントロールプレーンゲートウェイとユーザプレーンゲートウェイの間に接続リンクが確立され、
それぞれコントロールプレーンリンクとユーザプレーンリンクを確立することと、
確立したコントロールプレーンリンクによって端末にアクセスしたコントロールプレーンデータを処理し、確立したユーザプレーンリンクによって端末にアクセスしたユーザプレーンデータを処理することと、を含むことを特徴とする小セルラー基地局アクセスシステムがネットワークアクセスを実現する方法。
【請求項１０】
確立した接続リンクによって、前記コントロールプレーンゲートウェイがユーザプレーンゲートウェイを制御及び管理することを更に含み、
好ましいのは、前記コントロールプレーンゲートウェイがユーザプレーンゲートウェイに対する制御及び管理は、
前記コントロールプレーンゲートウェイとコアネットワークとの間の接続を確立、削除及び修正することと、
前記ユーザプレーンゲートウェイと無線アクセスネットワークノードとの間の接続を確立、削除及び修正することと、を含む請求項９に記載の方法。
【請求項１１】
前記ユーザプレーンゲートウェイは２つ又は２つ以上であり、
前記ユーザプレーンゲートウェイの間の接続リンクを確立し、確立した接続リンクによって、端末がユーザプレーンゲートウェイをまたがって移動する時にノード間のデータを伝送することを実現することを含み、
又は
前記コントロールプレーンゲートウェイは前記接続リンクによって、端末がコントロールプレーンゲートウェイをまたがって移動する時のノード間の協議を完成することを更に含む請求項９に記載の方法。
【請求項１２】
前記確立したコントロールプレーンリンクによって端末にアクセスしたコントロールプレーンデータを処理するのは、
前記確立したコントロールプレーンリンクによって、前記コントロールプレーンゲートウェイがコントロールプレーンデータを処理して、異なる無線アクセスネットワークノードからのシグナリングをアグリゲーションしてコアネットワークに送信し、或いはコアネットワークからのシグナリングを異なる無線アクセスネットワークノードに配信することを含む請求項９に記載の方法。
【請求項１３】
前記アグリゲーション又は配信は、
コアネットワークと前記コントロールプレーンゲートウェイの間、及び前記コントロールプレーンゲートウェイと無線アクセスネットワークノードの間のシグナリング接続を管理することと、
端末に関連するコンテキスト情報を維持し、コアネットワークとコントロールプレーンゲートウェイの間、及びコントロールプレーンゲートウェイと無線アクセスネットワークノードの間のシグナリング接続のマッピング関係を含むことと、
コアネットワーク或いは無線アクセスネットワークノードのシグナリングに基づき、シグナリング接続を管理することと、を含む請求項１２に記載の方法。
【請求項１４】
端末がマルチストリームをサポートする際に、前記端末が前記コントロールプレーンゲートウェイと複数の無線アクセスネットワークノードとの間のシグナリング接続を保存することを更に含み、
又は
対応なデータ接続を管理するようにユーザプレーンゲートウェイに指示することを更に含み、
又は
前記マッピング関係は一対一のマッピング関係であり、マッピング関係に基づき前記シグナリングを転送し、或いは、
前記マッピング関係は一対複数のマッピング関係であり、指定ルールに基づき前記シグナリングの転送を代理し、
又は
コントロールプレーンをまたがるゲートウェイが存在する際に、前記コントロールプレーンゲートウェイの間に、
対応な端末に関連する或いはエアインターフェイス接続に関連するコンテキスト設定情報をマイグレイトすることを更に含む請求項１３に記載の方法。
【請求項１５】
前記確立したユーザプレーンリンクによって端末にアクセスしたユーザプレーンデータを処理するのは、
確立したユーザプレーンリンクによって、ユーザプレーンゲートウェイがユーザプレーンデータを処理して、異なる無線アクセスネットワークノードからのデータをアグリゲーションしてコアネットワークに送信し、或いはコアネットワークからのデータを異なる無線アクセスネットワークノードに配信することを含み、
好ましいのは、
前記アグリゲーション又は配信は、
コアネットワークと前記ユーザプレーンゲートウェイの間、及びユーザプレーンゲートウェイと無線アクセスネットワークの間のデータチャンネルを管理することと、
コアネットワークとユーザプレーンゲートウェイの間、及びユーザプレーンゲートウェイと無線アクセスネットワークノードの間のデータチャンネルを含むマッピング関係を維持し、マッピング関係にしたがってデータの転送を行い、且つ該マッピング関係を管理することと、を含み、
さらに好ましいのは、
前記マッピング関係は一対一のマッピング関係であり、或いは、
前記マッピング関係は一対複数のマッピング関係であり、この時、
前記ユーザプレーンゲートウェイは１つの端末のコンテキスト情報のうちの一対複数の関係を維持し、アップリンク方向において、前記ユーザプレーンゲートウェイは複数のデータチャンネルを１つのデータチャンネルにアグリゲーションして送信し、ダウンリンク方向において、前記ユーザプレーンゲートウェイは予め設定されたルールに基づきデータ配信を行い、
特に好ましいのは、
ユーザプレーンをまたがるゲートウェイが存在する際に、ユーザプレーンゲートウェイの間のデータチャンネルの管理が確立、削除及び修正を含むことと、
アクセスネットワークノード又はコアネットワークと、前記ユーザプレーンゲートウェイとの間のデータチャンネルマッピング関係を維持し、マッピング関係に応じてデータの転送を行い、且つ該マッピング関係の管理をサポートすることと、を含む請求項９に記載の方法。
【国際調査報告】
2016522634.tif 000030
2016522634.tif 000031
2016522634.tif 000032
2016522634.tif 000033